(57)【要約】  【課題】ユーザの利便性が向上する録画番組自動格納システムを提供すること。  【解決手段】第１ユーザが第１携帯端末（２−１）により第Ｎ連続番組データを見終わっている場合又は見終わる可能性がある場合、第１携帯端末（２−１）の出力部に出力された第Ｎ連続番組データの第１再生時間が、第Ｎ連続番組データに対する所定範囲内である。このとき、サーバ（１）は、サーバ記憶部（１１）に格納された第（Ｎ＋１）連続番組データをコピーして第１携帯端末（２−１）の記憶部に格納し、その第Ｎ連続番組データを視聴完了後に第１携帯端末（２−１）の記憶部から消去するためのコピー番組視聴後削除命令を第１携帯端末（２−１）に通知する。これにより、第１ユーザは、第Ｎ連続番組データを第１携帯端末（２−１）により視聴し終わった場合、手動コピー処理を行なわずに、第Ｎ連続番組データの後の第（Ｎ＋１）連続番組データを第１携帯端末（２−１）により視聴することができる。このように、本発明の録画番組自動格納システムでは、ユーザの利便性が向上する。  【選択図】図１
2006279698.tif 000002
【特許請求の範囲】
【請求項１】
記憶部と出力部と制御部とを備えた複数の携帯端末と、
複数の番組データが格納されたサーバ記憶部と、前記複数の番組データを表す蓄積番組リストを生成して前記サーバ記憶部に格納するサーバ制御部とを備えたサーバとを具備し、
前記蓄積番組リストは、前記複数の番組データのそれぞれに対して、前記複数の番組データが最初から途中まで放送されたときの設定時間から、前記複数の番組データが最初から最後まで放送されたときの放送時間までの範囲を表す所定範囲を含み、
前記複数の携帯端末のうちの第１携帯端末の記憶部に、前記サーバ記憶部に格納された前記複数の番組データのうちの、連続番組を表す第Ｎ連続番組データ（Ｎは１以上の整数）のコピーが格納されている場合、前記第１携帯端末の制御部は、前記サーバと前記第１携帯端末とを接続する第１接続イベントに応じて、第１携帯管理情報を前記サーバ制御部に送信し、
前記第１携帯管理情報は、前記第１携帯端末の記憶部に格納された前記第Ｎ連続番組データを前記第１携帯端末の制御部が最初から前記第１携帯端末の出力部に出力したときの第１再生時間と、前記第１携帯端末の記憶部に格納された前記第Ｎ連続番組データがコピーであることを表すコピー番組情報と、前記第１携帯端末の記憶部の記憶領域のうちの未使用領域を表す残容量とを含み、
前記サーバ制御部は、
前記蓄積番組リストを参照して、前記第１携帯管理情報に含まれる前記第１再生時間が、前記第Ｎ連続番組データに対する前記所定範囲内であり、且つ、前記第１携帯管理情報に含まれる残容量が、所定容量以下であるが、前記複数の番組データのうちの第（Ｎ＋１）連続番組データの容量よりも大きいとき、
前記サーバ記憶部に格納された前記第（Ｎ＋１）連続番組データをコピーして前記第１携帯端末の記憶部に格納し、
前記第１携帯管理情報に含まれる前記コピー番組情報に対して、コピー番組視聴後削除命令を前記第１携帯端末の制御部に通知し、
前記第１携帯端末の制御部は、
前記第１携帯端末の記憶部に格納された前記第Ｎ連続番組データを最後まで前記第１携帯端末の出力部に出力しているときに、前記コピー番組視聴後削除命令に応じて、前記第１携帯端末の記憶部から前記第Ｎ連続番組データを消去する
録画番組自動格納システム。
【請求項２】
請求項１に記載の録画番組自動格納システムにおいて、
前記複数の携帯端末のうちの第２携帯端末の記憶部に前記第Ｎ連続番組データが格納されている場合、前記第２携帯端末の制御部は、前記サーバと前記第２携帯端末とを接続する第２接続イベントに応じて、第２携帯管理情報を前記サーバ制御部に送信し、
前記第２携帯管理情報は、前記第２携帯端末の制御部が前記第Ｎ連続番組データを最初から前記第２携帯端末の出力部に出力したときの第２再生時間と、前記第２携帯端末の記憶部の記憶領域のうちの未使用領域を表す残容量とを含み、
前記サーバ制御部は、
前記蓄積番組リストを参照して、前記第２携帯管理情報に含まれる前記第２再生時間が、前記第Ｎ連続番組データに対する前記所定範囲内であり、且つ、前記第２携帯管理情報に含まれる残容量が前記所定容量より大きいとき、
前記サーバ記憶部に格納された前記複数の番組データのうちの前記第（Ｎ＋１）連続番組データを前記第２携帯端末の記憶部に移動し、
前記第２携帯端末の記憶部に格納された前記第（Ｎ＋１）連続番組データの消去を禁止するための移動番組削除禁止命令を前記第２携帯端末の制御部に通知し、
前記第（Ｎ＋１）連続番組データが前記サーバから前記第２携帯端末に移動されたことを表す番組移動情報を生成し、前記サーバ記憶部に格納する
録画番組自動格納システム。
【請求項３】
請求項２に記載の録画番組自動格納システムにおいて、
前記第１携帯端末の記憶部に前記第Ｎ連続番組データのコピーが格納され、前記第２携帯端末の記憶部に前記第（Ｎ＋１）連続番組データが格納され、前記サーバ記憶部に前記番組移動情報が格納されている場合、前記第１携帯端末の制御部は、前記第１接続イベントに応じて、前記第１携帯管理情報を前記サーバ制御部に送信し、
前記サーバ制御部は、
前記蓄積番組リストを参照して、前記第１携帯管理情報に含まれる前記第１再生時間が、前記第Ｎ連続番組データに対する前記所定範囲内であり、且つ、前記第１携帯管理情報に含まれる残容量が、前記所定容量以下であるが、前記第（Ｎ＋１）連続番組データの容量よりも大きいとき、
前記サーバ記憶部に格納された前記番組移動情報を前記第１携帯端末の制御部に通知し、
前記第１携帯管理情報に含まれる前記コピー番組情報に対して、前記コピー番組視聴後削除命令を前記第１携帯端末の制御部に通知し、
前記第２接続イベントが発生したときに、要求後配信命令を前記第２携帯端末の制御部に通知し、
前記第１携帯端末の制御部が、前記番組移動情報に応じて、前記第（Ｎ＋１）連続番組データを要求するための要求情報を前記第２携帯端末に送信したとき、
前記第２携帯端末の制御部は、前記要求情報と前記要求後配信命令とに応じて、前記第２携帯端末の記憶部に格納された前記第（Ｎ＋１）連続番組データをコピーし、前記第１携帯端末の記憶部に格納する
録画番組自動格納システム。
【請求項４】
請求項１〜３のいずれかに記載の録画番組自動格納システムにおいて、
前記第１接続イベントは、前記第１携帯端末に設けられた充電池を充電するための第１クレードルに、前記第１携帯端末が接続されたときに発生し、
前記サーバ制御部と前記第１携帯端末は、前記第１クレードルを介して通信する
録画番組自動格納システム。
【請求項５】
請求項２又は３のいずれかに記載の録画番組自動格納システムにおいて、
前記第２接続イベントは、前記第２携帯端末に設けられた充電池を充電するための第２クレードルに、前記第２携帯端末が接続されたときに発生し、
前記サーバ制御部と前記第２携帯端末は、前記第２クレードルを介して通信する
録画番組自動格納システム。
【請求項６】
請求項１〜５のいずれかに記載の録画番組自動格納システムにおいて、
前記サーバは、更に、
前記複数の番組データを受信して前記サーバ記憶部に格納する受信部を備えている
録画番組自動格納システム。
【請求項７】
記憶部と出力部と制御部とを備えた複数の携帯端末に接続されるサーバであって、
複数の番組データが格納されたサーバ記憶部と、
前記複数の番組データを表す蓄積番組リストを生成して前記サーバ記憶部に格納するサーバ制御部とを具備し、
前記蓄積番組リストは、前記複数の番組データのそれぞれに対して、前記複数の番組データが最初から途中まで放送されたときの設定時間から、前記複数の番組データが最初から最後まで放送されたときの放送時間までの範囲を表す所定範囲を含み、
前記複数の携帯端末のうちの第１携帯端末の記憶部に、前記サーバ記憶部に格納された前記複数の番組データのうちの、連続番組を表す第Ｎ連続番組データ（Ｎは１以上の整数）のコピーが格納されているときに、前記第１携帯端末の制御部が、前記サーバと前記第１携帯端末とを接続する第１接続イベントに応じて、第１携帯管理情報を前記サーバ制御部に送信した場合、
前記第１携帯管理情報は、前記第１携帯端末の記憶部に格納された前記第Ｎ連続番組データを前記第１携帯端末の制御部が最初から前記第１携帯端末の出力部に出力したときの第１再生時間と、前記第１携帯端末の記憶部に格納された前記第Ｎ連続番組データがコピーであることを表すコピー番組情報と、前記第１携帯端末の記憶部の記憶領域のうちの未使用領域を表す残容量とを含み、
前記サーバ制御部は、
前記蓄積番組リストを参照して、前記第１携帯管理情報に含まれる前記第１再生時間が、前記第Ｎ連続番組データに対する前記所定範囲内であり、且つ、前記第１携帯管理情報に含まれる残容量が、所定容量以下であるが、前記複数の番組データのうちの第（Ｎ＋１）連続番組データの容量よりも大きいとき、
前記サーバ記憶部に格納された前記第（Ｎ＋１）連続番組データをコピーして前記第１携帯端末の記憶部に格納し、
前記第１携帯管理情報に含まれる前記コピー番組情報に対するコピー番組視聴後削除命令を前記第１携帯端末の制御部に通知し、
前記コピー番組視聴後削除命令は、前記第１携帯端末の制御部が、前記第Ｎ連続番組データを最後まで前記第１携帯端末の出力部に出力しているときに、前記第１携帯端末の記憶部から前記第Ｎ連続番組データを消去するための情報である
サーバ。
【請求項８】
請求項７に記載のサーバにおいて、
前記複数の携帯端末のうちの第２携帯端末の記憶部に前記第Ｎ連続番組データが格納されているときに、前記第２携帯端末の制御部が、前記サーバと前記第２携帯端末とを接続する第２接続イベントに応じて、第２携帯管理情報を前記サーバ制御部に送信した場合、
前記第２携帯管理情報は、前記第２携帯端末の制御部が前記第Ｎ連続番組データを最初から前記第２携帯端末の出力部に出力したときの第２再生時間と、前記第２携帯端末の記憶部の記憶領域のうちの未使用領域を表す残容量とを含み、
前記サーバ制御部は、
前記蓄積番組リストを参照して、前記第２携帯管理情報に含まれる前記第２再生時間が、前記第Ｎ連続番組データに対する前記所定範囲内であり、且つ、前記第２携帯管理情報に含まれる残容量が前記所定容量より大きいとき、
前記サーバ記憶部に格納された前記複数の番組データのうちの前記第（Ｎ＋１）連続番組データを前記第２携帯端末の記憶部に移動し、
前記第２携帯端末の記憶部に格納された前記第（Ｎ＋１）連続番組データの消去を禁止するための移動番組削除禁止命令を前記第２携帯端末の制御部に通知し、
前記第（Ｎ＋１）連続番組データが前記サーバから前記第２携帯端末に移動されたことを表す番組移動情報を生成し、前記サーバ記憶部に格納する
サーバ。
【請求項９】
請求項８に記載のサーバにおいて、
前記第１携帯端末の記憶部に前記第Ｎ連続番組データのコピーが格納され、前記第２携帯端末の記憶部に前記第（Ｎ＋１）連続番組データが格納され、前記サーバ記憶部に前記番組移動情報が格納されているときに、前記第１携帯端末の制御部が、前記第１接続イベントに応じて、前記第１携帯管理情報を前記サーバ制御部に送信した場合、
前記サーバ制御部は、
前記蓄積番組リストを参照して、前記第１携帯管理情報に含まれる前記第１再生時間が、前記第Ｎ連続番組データに対する前記所定範囲内であり、且つ、前記第１携帯管理情報に含まれる残容量が、前記所定容量以下であるが、前記第（Ｎ＋１）連続番組データの容量よりも大きいとき、
前記サーバ記憶部に格納された前記番組移動情報を前記第１携帯端末の制御部に通知し、
前記第１携帯管理情報に含まれる前記コピー番組情報に対する前記コピー番組視聴後削除命令を前記第１携帯端末の制御部に通知し、
前記第２接続イベントが発生したときに、要求後配信命令を前記第２携帯端末の制御部に通知し、
前記要求後配信命令は、前記第２携帯端末の制御部が、前記第（Ｎ＋１）連続番組データを要求するための要求情報を前記第１携帯端末から受信したときに、前記第２携帯端末の記憶部に格納された前記第（Ｎ＋１）連続番組データをコピーし、前記第１携帯端末の記憶部に格納するための情報である
サーバ。
【請求項１０】
請求項７〜９のいずれかに記載のサーバにおいて、
前記第１接続イベントは、前記第１携帯端末に設けられた充電池を充電するための第１クレードルに、前記第１携帯端末が接続されたときに発生し、
前記サーバ制御部と前記第１携帯端末は、前記第１クレードルを介して通信する
サーバ。
【請求項１１】
請求項８又は９のいずれかに記載のサーバにおいて、
前記第２接続イベントは、前記第２携帯端末に設けられた充電池を充電するための第２クレードルに、前記第２携帯端末が接続されたときに発生し、
前記サーバ制御部と前記第２携帯端末は、前記第２クレードルを介して通信する
サーバ。
【請求項１２】
請求項７〜１１のいずれかに記載の録画番組自動格納システムにおいて、
更に、
前記複数の番組データを受信して前記サーバ記憶部に格納する受信部を備えている
サーバ。
【請求項１３】
記憶部と出力部とを備えた複数の携帯端末と、複数の番組データが格納されたサーバ記憶部を備えたサーバとを具備するシステムに適用された録画番組自動格納方法であって、
前記録画番組自動格納方法は、
前記サーバが、前記複数の番組データを表す蓄積番組リストを生成して前記サーバ記憶部に格納するサーバ制御ステップを具備し、
前記蓄積番組リストは、前記複数の番組データのそれぞれに対して、前記複数の番組データが最初から途中まで放送されたときの設定時間から、前記複数の番組データが最初から最後まで放送されたときの放送時間までの範囲を表す所定範囲を含み、
前記録画番組自動格納方法は、更に、
前記複数の携帯端末のうちの第１携帯端末の記憶部に、前記サーバ記憶部に格納された前記複数の番組データのうちの、連続番組を表す第Ｎ連続番組データ（Ｎは１以上の整数）のコピーが格納されている場合、前記第１携帯端末が、前記サーバと前記第１携帯端末とを接続する第１接続イベントに応じて、第１携帯管理情報を前記サーバに送信する第１携帯制御ステップを具備し、
前記第１携帯管理情報は、前記第１携帯端末の記憶部に格納された前記第Ｎ連続番組データを前記第１携帯端末が最初から前記第１携帯端末の出力部に出力したときの第１再生時間と、前記第１携帯端末の記憶部に格納された前記第Ｎ連続番組データがコピーであることを表すコピー番組情報と、前記第１携帯端末の記憶部の記憶領域のうちの未使用領域を表す残容量とを含み、
前記サーバ制御ステップは、
前記蓄積番組リストを参照して、前記第１携帯管理情報に含まれる前記第１再生時間が、前記第Ｎ連続番組データに対する前記所定範囲内であり、且つ、前記第１携帯管理情報に含まれる残容量が、所定容量以下であるが、前記複数の番組データのうちの第（Ｎ＋１）連続番組データの容量よりも大きいとき、
前記サーバ記憶部に格納された前記第（Ｎ＋１）連続番組データをコピーして前記第１携帯端末の記憶部に格納するステップと、
前記第１携帯管理情報に含まれる前記コピー番組情報に対して、コピー番組視聴後削除命令を前記第１携帯端末に通知するステップとを含み、
前記第１携帯制御ステップは、
前記第１携帯端末の記憶部に格納された前記第Ｎ連続番組データを最後まで前記第１携帯端末の出力部に出力しているときに、前記コピー番組視聴後削除命令に応じて、前記第１携帯端末の記憶部から前記第Ｎ連続番組データを消去するステップを含む
録画番組自動格納方法。
【請求項１４】
請求項１３に記載の録画番組自動格納方法において、
更に、
前記複数の携帯端末のうちの第２携帯端末の記憶部に前記第Ｎ連続番組データが格納されている場合、前記第２携帯端末が、前記サーバと前記第２携帯端末とを接続する第２接続イベントに応じて、第２携帯管理情報を前記サーバに送信する第２携帯制御ステップを具備し、
前記第２携帯管理情報は、前記第２携帯端末が前記第Ｎ連続番組データを最初から前記第２携帯端末の出力部に出力したときの第２再生時間と、前記第２携帯端末の記憶部の記憶領域のうちの未使用領域を表す残容量とを含み、
前記サーバ制御ステップは、
前記蓄積番組リストを参照して、前記第２携帯管理情報に含まれる前記第２再生時間が、前記第Ｎ連続番組データに対する前記所定範囲内であり、且つ、前記第２携帯管理情報に含まれる残容量が前記所定容量より大きいとき、
前記サーバ記憶部に格納された前記複数の番組データのうちの前記第（Ｎ＋１）連続番組データを前記第２携帯端末の記憶部に移動するステップと、
前記第２携帯端末の記憶部に格納された前記第（Ｎ＋１）連続番組データの消去を禁止するための移動番組削除禁止命令を前記第２携帯端末に通知するステップと、
前記第（Ｎ＋１）連続番組データが前記サーバから前記第２携帯端末に移動されたことを表す番組移動情報を生成し、前記サーバ記憶部に格納するステップとを更に含む
録画番組自動格納方法。
【請求項１５】
請求項１４に記載の録画番組自動格納方法において、
前記第１携帯制御ステップは、
前記第１携帯端末の記憶部に前記第Ｎ連続番組データのコピーが格納され、前記第２携帯端末の記憶部に前記第（Ｎ＋１）連続番組データが格納され、前記サーバ記憶部に前記番組移動情報が格納されている場合、前記第１携帯端末が、前記第１接続イベントに応じて、前記第１携帯管理情報を前記サーバに送信するステップを更に含み、
前記サーバ制御ステップは、
前記蓄積番組リストを参照して、前記第１携帯管理情報に含まれる前記第１再生時間が、前記第Ｎ連続番組データに対する前記所定範囲内であり、且つ、前記第１携帯管理情報に含まれる残容量が、前記所定容量以下であるが、前記第（Ｎ＋１）連続番組データの容量よりも大きいとき、
前記サーバ記憶部に格納された前記番組移動情報を前記第１携帯端末に通知するステップと、
前記第１携帯管理情報に含まれる前記コピー番組情報に対して、前記コピー番組視聴後削除命令を前記第１携帯端末に通知するステップと、
前記第２接続イベントが発生したときに、要求後配信命令を前記第２携帯端末に通知するステップとを更に含み、
前記第２携帯制御ステップは、
前記第１携帯端末が、前記番組移動情報に応じて、前記第（Ｎ＋１）連続番組データを要求するための要求情報を前記第２携帯端末に送信したとき、
前記要求情報と前記要求後配信命令とに応じて、前記第２携帯端末の記憶部に格納された前記第（Ｎ＋１）連続番組データをコピーし、前記第１携帯端末の記憶部に格納するステップを更に含む
録画番組自動格納方法。
【請求項１６】
請求項１３〜１５のいずれかに記載の録画番組自動格納方法において、
前記第１接続イベントは、前記第１携帯端末に設けられた充電池を充電するための第１クレードルに、前記第１携帯端末が接続されたときに発生し、
前記サーバと前記第１携帯端末は、前記第１クレードルを介して通信する
録画番組自動格納方法。
【請求項１７】
請求項１４又は１５のいずれかに記載の録画番組自動格納方法において、
前記第２接続イベントは、前記第２携帯端末に設けられた充電池を充電するための第２クレードルに、前記第２携帯端末が接続されたときに発生し、
前記サーバと前記第２携帯端末は、前記第２クレードルを介して通信する
録画番組自動格納方法。
【請求項１８】
請求項１３〜１５のいずれかに記載された前記サーバ制御ステップを前記サーバに実行させるコンピュータプログラム。
【請求項１９】
請求項１３〜１５のいずれかに記載された前記第１携帯制御ステップを前記第１携帯端末に実行させるコンピュータプログラム。
【請求項２０】
請求項１４又は１５のいずれかに記載された前記第２携帯制御ステップを前記第２携帯端末に実行させるコンピュータプログラム。
【発明の詳細な説明】
【技術分野】
【０００１】
本発明は、テレビ放送用の番組データを格納する録画番組自動格納システムに関する。
【背景技術】
【０００２】
近年、放送局から送信されたテレビ放送用の番組を表す番組データを受信して、記憶部に格納する放送処理装置（以下、サーバと称する）が普及されている。サーバは、上記の記憶部と、番組データを受信して記憶部に格納する受信部と、出力部と、制御部とを具備している。出力部は、表示部と、スピーカとを含んでいる。
【０００３】
番組データは、動画像データと音声データとを含んでいる。制御部は、ユーザによる番組データ出力指示に応じて、記憶部に格納された番組データをデコードし、その番組データの動画像データを表示装置に表示し、その番組データの音声データをスピーカに出力する。このように、ユーザは、サーバの記憶部に格納された番組データを視聴することができる。
【０００４】
また、ユーザは、サーバとＰＣ（パーソナルコンピュータ）とを接続して、サーバの記憶部に格納された番組データをＰＣにコピーすることにより、ユーザの嗜好に合わせた番組データをＰＣにより視聴することができる。
【０００５】
また、配信されたコンテンツを複数の端末で利用可能とする技術も実施されている（例えば、特許文献１）。
【０００６】
【特許文献１】特開２００４−３０３１１１号公報
【発明の開示】
【発明が解決しようとする課題】
【０００７】
本発明の課題は、ユーザの利便性が向上する録画番組自動格納システムを提供することにある。
【課題を解決するための手段】
【０００８】
以下に、［発明を実施するための最良の形態］で使用する番号・符号を用いて、課題を解決するための手段を説明する。これらの番号・符号は、［特許請求の範囲］の記載と［発明を実施するための最良の形態］の記載との対応関係を明らかにするために付加されたものであるが、［特許請求の範囲］に記載されている発明の技術的範囲の解釈に用いてはならない。
【０００９】
本発明の第１の観点による録画番組自動格納システムについて説明する。
本発明の録画番組自動格納システムは、複数の携帯端末（２−１、２−２）と、サーバ（１）とを具備している。
前記複数の携帯端末（２−１、２−２）の各々は、記憶部（２１；２２）と、出力部（２６）と、コンピュータプログラム（２４）である制御部（２５）とを備えている。
前記サーバ（１）は、サーバ記憶部（１１；１２）と、複数の番組データを受信して前記サーバ記憶部（１１；１２）に格納する受信部（１０）と、コンピュータプログラム（１４）であるサーバ制御部（１５）とを備えている。前記サーバ制御部（１５）は、前記複数の番組データを表す蓄積番組リスト（５０）を生成して前記サーバ記憶部（１１；１３）に格納する。
前記蓄積番組リスト（５０）は、前記複数の番組データのそれぞれに対して、前記複数の番組データが最初から途中まで放送されたときの設定時間（Ｔｘ）から、前記複数の番組データが最初から最後まで放送されたときの放送時間（Ｔｙ）までの範囲を表す所定範囲（Ｔｘｙ）を含んでいる。
前記複数の携帯端末（２−１、２−２）のうちの第１携帯端末（２−１）の記憶部（２１；２２）に、前記サーバ記憶部（１１；１２）に格納された前記複数の番組データのうちの、連続番組を表す第Ｎ連続番組データ（４１）（Ｎは１以上の整数）のコピーが格納されている（Ｓ１１〜Ｓ１３）。このときに、前記第１携帯端末（２−１）の制御部（２５）は、前記サーバ（１）と前記第１携帯端末（２−１）とを接続する第１接続イベントに応じて、第１携帯管理情報を前記サーバ制御部（１５）に送信する（Ｓ２１、Ｓ２２）。
この場合、前記第１携帯管理情報は、前記第１携帯端末（２−１）の記憶部（２１；２２）に格納された前記第Ｎ連続番組データ（４１）を前記第１携帯端末（２−１）の制御部（２５）が最初から前記第１携帯端末（２−１）の出力部（２６）に出力したときの第１再生時間（Ｔｚ）と、前記第１携帯端末（２−１）の記憶部（２１；２２）に格納された前記第Ｎ連続番組データ（４１）がコピーであることを表すコピー番組情報（８１）と、前記第１携帯端末（２−１）の記憶部（２１）の記憶領域（２２）のうちの未使用領域を表す残容量とを含んでいる。
前記サーバ制御部（１５）は、前記蓄積番組リスト（５０）を参照した結果、前記第１携帯管理情報に含まれる前記第１再生時間（Ｔｚ）が、前記第Ｎ連続番組データ（４１）に対する前記所定範囲（Ｔｘｙ）内である（Ｓ２３、Ｓ２４−ＹＥＳ、Ｓ２５−ＹＥＳ）。且つ、前記第１携帯管理情報に含まれる残容量が、所定容量以下であるが、前記複数の番組データのうちの第（Ｎ＋１）連続番組データ（４２）の容量よりも大きい。
このとき、前記サーバ制御部（１５）は、前記サーバ記憶部（１１；１２）に格納された前記第（Ｎ＋１）連続番組データ（４２）をコピーして前記第１携帯端末（２−１）の記憶部（２１；２２）に格納する（Ｓ２６）。
前記サーバ制御部（１５）は、前記第１携帯管理情報に含まれる前記コピー番組情報（８１）に対して、コピー番組視聴後削除命令（８２）を前記第１携帯端末（２−１）の制御部（２５）に通知する（Ｓ２６）。
前記第１携帯端末（２−１）の制御部（２５）は、前記第Ｎ連続番組データ（４１）を最後まで前記第１携帯端末（２−１）の出力部（２６）に出力しているときに、前記コピー番組視聴後削除命令（８２）に応じて、前記第１携帯端末（２−１）の記憶部（２１；２２）から前記第Ｎ連続番組データ（４１）を消去する（Ｓ２７）。
【００１０】
本発明の第１の観点による録画番組自動格納システムの効果について説明する。
【００１１】
第Ｎ連続番組データ（４１）が第１携帯端末（２−１）の記憶部（２１；２２）に格納されている場合、第１ユーザは、その第Ｎ連続番組データ（４１）を第１携帯端末（２−１）により視聴することができる。第Ｎ連続番組データ（４１）は、第１ユーザが嗜好の番組データである。第１ユーザは、その第Ｎ連続番組データ（４１）を視聴し終わった場合、第Ｎ連続番組データ（４１）の後の第（Ｎ＋１）連続番組データ（４２）を視聴したい。この場合、第１ユーザは、第（Ｎ＋１）連続番組データ（４２）を視聴するために、通常であれば、サーバ（１）と第１携帯端末（２−１）とを接続して、サーバ記憶部（１１）に格納された第（Ｎ＋１）連続番組データ（４２）を第１携帯端末（２−１）にコピーする手動コピー処理を行なう。しかし、第１ユーザは、次に視聴する番組データが決まっているのに、手動コピー処理を行なわなければならない。
また、第１携帯端末（２−１）の記憶部（２１）の記憶領域（２２）を表す記憶容量は、サーバ（１）のサーバ記憶部（１１）の記憶領域（１２）を表す記憶容量よりもはるかに小さい。このため、第１携帯端末（２−１）の記憶部（２１）の残容量が、第（Ｎ＋１）連続番組データ（４２）の容量よりも大きくても、所定容量以下である場合がある。このような場合、第１ユーザが嗜好とする複数の番組データを一度に第１携帯端末（２−１）の記憶部（２１）に格納することに限度がある。
この状態では、ユーザにとって利便性に欠ける。
【００１２】
そこで、本発明の第１の観点による録画番組自動格納システムでは、サーバ（１）と第１携帯端末（２−１）とを接続する第１接続イベントが発生したときに、第１ユーザが第１携帯端末（２−１）により第Ｎ連続番組データ（４１）を見終わっている場合、第（Ｎ＋１）連続番組データ（４２）が第１携帯端末（２−１）の記憶部（２１）に自動的に格納され、第Ｎ連続番組データ（４１）が第１携帯端末（２−１）の記憶部（２１）から自動的に消去される。この場合、第１ユーザが第１携帯端末（２−１）により第Ｎ連続番組データ（４１）を見終わっているとき、第１携帯端末（２−１）の出力部（２６）に出力された第Ｎ連続番組データ（４１）の第１再生時間（Ｔｚ）が、第Ｎ連続番組データ（４１）に対する所定範囲（Ｔｘｙ）として放送時間（Ｔｙ）に達している。このとき、サーバ（１）のサーバ制御部（１５）は、サーバ記憶部（１１）に格納された第（Ｎ＋１）連続番組データ（４２）をコピーして第１携帯端末（２−１）の記憶部（２１）に格納し、その第Ｎ連続番組データ（４１）を視聴完了後に第１携帯端末（２−１）の記憶部（２１）から消去するためのコピー番組視聴後削除命令（８２）を第１携帯端末（２−１）に通知する。ここで、第１携帯端末（２−１）の記憶部（２１）に格納される第Ｎ連続番組データ（４１）、第（Ｎ＋１）連続番組データ（４２）は、それぞれ、視聴完了後に消去されるため、サーバ記憶部（１１）に格納された第Ｎ連続番組データ（４１）、第（Ｎ＋１）連続番組データ（４２）のコピーであることが好ましい。
これにより、第１ユーザは、第Ｎ連続番組データ（４１）を第１携帯端末（２−１）により視聴し終わった場合、手動コピー処理を行なわずに、第Ｎ連続番組データ（４１）の後の第（Ｎ＋１）連続番組データ（４２）を第１携帯端末（２−１）により視聴することができる。
また、第１ユーザが第１携帯端末（２−１）により第Ｎ連続番組データ（４１）を見終わったら、第Ｎ連続番組データ（４１）が第１携帯端末（２−１）の記憶部（２１）から自動的に消去されるため、第１携帯端末（２−１）の記憶部（２１）の記憶容量を節約することができる。
このように、本発明の第１の観点による録画番組自動格納システムでは、ユーザの利便性が向上する。
【００１３】
例えば、第１ユーザは、第Ｎ連続番組データ（４１）を見終わっていないと思って、その第Ｎ連続番組データ（４１）を第１携帯端末（２−１）により視聴してみたら、その第Ｎ連続番組データ（４１）の未視聴部分が少なくて、すぐ見終わってしまう場合がある。このような場合、上記の第１接続イベントが発生するまで、第１ユーザは、第Ｎ連続番組データ（４１）の後の第（Ｎ＋１）連続番組データ（４２）を第１携帯端末（２−１）により視聴することができない。
この状態では、ユーザにとって利便性に欠ける。
【００１４】
そこで、本発明の第１の観点による録画番組自動格納システムでは、上記の第１接続イベントが発生したときに、第１ユーザが第１携帯端末（２−１）により第Ｎ連続番組データ（４１）を見終わる可能性がある場合、第（Ｎ＋１）連続番組データ（４２）が第１携帯端末（２−１）の記憶部（２１）に自動的に格納され、第１ユーザが第１携帯端末（２−１）により第Ｎ連続番組データ（４１）を見終わった場合、第Ｎ連続番組データ（４１）が第１携帯端末（２−１）の記憶部（２１）から自動的に消去される。この場合、第１ユーザが第１携帯端末（２−１）により第Ｎ連続番組データ（４１）を見終わる可能性があるとき、第１携帯端末（２−１）の出力部（２６）に出力された第Ｎ連続番組データ（４１）の第１再生時間（Ｔｚ）が、第Ｎ連続番組データ（４１）に対する所定範囲（Ｔｘｙ）として設定時間（Ｔｘ）を超えている。このとき、サーバ（１）のサーバ制御部（１５）は、サーバ記憶部（１１）に格納された第（Ｎ＋１）連続番組データ（４２）をコピーして第１携帯端末（２−１）の記憶部（２１）に格納し、上記のコピー番組視聴後削除命令（８２）を第１携帯端末（２−１）に通知する。これにより、第１ユーザは、第Ｎ連続番組データ（４１）を第１携帯端末（２−１）により視聴し終わった場合、手動コピー処理を行なわずに、第Ｎ連続番組データ（４１）の後の第（Ｎ＋１）連続番組データ（４２）を第１携帯端末（２−１）により視聴することができる。
このように、本発明の第１の観点による録画番組自動格納システムでは、ユーザの利便性が向上する。
【００１５】
本発明の第２の観点による録画番組自動格納システムについて説明する。
本発明の録画番組自動格納システムにおいて、前記複数の携帯端末（２−１、２−２）のうちの第２携帯端末（２−２）の記憶部（２１；２２）に前記第Ｎ連続番組データ（４１）が格納されている（Ｓ３１〜Ｓ３３）。このときに、前記第２携帯端末（２−２）の制御部（２５）は、前記サーバ（１）と前記第２携帯端末（２−２）とを接続する第２接続イベントに応じて、第２携帯管理情報を前記サーバ制御部（１５）に送信する（Ｓ４１、Ｓ４２）。
この場合、前記第２携帯管理情報は、前記第２携帯端末（２−２）の制御部（２５）が前記第Ｎ連続番組データ（４１）を最初から前記第２携帯端末（２−２）の出力部（２６）に出力したときの第２再生時間（Ｔｚ）と、前記第２携帯端末（２−２）の記憶部（２１）の記憶領域（２２）のうちの未使用領域を表す残容量とを含んでいる。
前記サーバ制御部（１５）は、前記蓄積番組リスト（５０）を参照した結果、前記第２携帯管理情報に含まれる前記第２再生時間（Ｔｚ）が、前記第Ｎ連続番組データ（４１）に対する前記所定範囲（Ｔｘｙ）内である（Ｓ４３、Ｓ４４−ＹＥＳ、Ｓ４５−ＹＥＳ）。且つ、前記第２携帯管理情報に含まれる残容量が前記所定容量より大きい。
このとき、前記サーバ制御部（１５）は、前記サーバ記憶部（１１；１２）に格納された前記複数の番組データのうちの前記第（Ｎ＋１）連続番組データ（４２）を前記第２携帯端末（２−２）の記憶部（２１；２２）に移動する（Ｓ４６）。
前記サーバ制御部（１５）は、前記第２携帯端末（２−２）の記憶部（２１；２２）に格納された前記第（Ｎ＋１）連続番組データ（４２）の消去を禁止するための移動番組削除禁止命令（８３）を前記第２携帯端末（２−２）の制御部（２５）に通知する（Ｓ４６）。
前記サーバ制御部（１５）は、前記第（Ｎ＋１）連続番組データ（４２）が前記サーバ（１）から前記第２携帯端末（２−２）に移動されたことを表す番組移動情報（８５）を生成し、前記サーバ記憶部（１１；１３）に格納する（Ｓ４６）。
【００１６】
本発明の第２の観点による録画番組自動格納システムの効果について説明する。
【００１７】
第Ｎ連続番組データ（４１）が第２携帯端末（２−２）の記憶部（２１；２２）に格納されている場合、第２ユーザは、その第Ｎ連続番組データ（４１）を第２携帯端末（２−２）により視聴することができる。第Ｎ連続番組データ（４１）は、第２ユーザが嗜好の番組データである。この第２携帯端末（２−２）の記憶部（２１）の記憶領域（２２）を表す記憶容量は、第１携帯端末（２−１）の記憶部（２１）の記憶領域（２２）を表す記憶容量よりもはるかに大きく、第２携帯端末（２−２）は、第１携帯端末（２−１）に対する次世代の携帯端末である。このため、第２携帯端末（２−２）の記憶部（２１）の残容量は、所定容量よりも大きい場合がある。
【００１８】
そこで、本発明の第２の観点による録画番組自動格納システムでは、サーバ（１）と第２携帯端末（２−２）とを接続する第２接続イベントが発生したときに、第２ユーザが第２携帯端末（２−２）により第Ｎ連続番組データ（４１）を見終わっている場合又は見終わる可能性がある場合、第（Ｎ＋１）連続番組データ（４２）が第２携帯端末（２−２）の記憶部（２１）に自動的に格納される。この場合、サーバ（１）のサーバ制御部（１５）は、第（Ｎ＋１）連続番組データ（４２）をサーバ記憶部（１１）から第２携帯端末（２−２）の記憶部（２１）に移動し、第（Ｎ＋１）連続番組データ（４２）の消去を禁止するための移動番組削除禁止命令（８３）を第２携帯端末（２−２）に通知する。これにより、第２ユーザは、第Ｎ連続番組データ（４１）を第２携帯端末（２−２）により視聴し終わった場合、手動コピー処理を行なわずに、第Ｎ連続番組データ（４１）の後の第（Ｎ＋１）連続番組データ（４２）を第２携帯端末（２−２）により視聴することができる。
また、第２携帯端末（２−２）の記憶部（２１）の残容量に余裕がある場合、第２ユーザが嗜好の番組データがサーバ記憶部（１１）から第２携帯端末（２−２）の記憶部（２１）に移動されるため、サーバ記憶部（１１）の記憶容量を節約することができる。
また、サーバ制御部（１５）は、番組移動情報（８５）により第（Ｎ＋１）連続番組データ（４２）がサーバ（１）から第２携帯端末（２−２）に移動されたことを管理している。このため、サーバ制御部（１５）は、第１携帯端末（２−１）の記憶部（２１）に第（Ｎ＋１）連続番組データ（４２）を格納する必要があるときに、番組移動情報（８５）を第１携帯端末（２−１）に通知すればよい。
このように、本発明の第２の観点による録画番組自動格納システムでは、ユーザの利便性が向上する。
【００１９】
本発明の第３の観点による録画番組自動格納システムについて説明する。
本発明の録画番組自動格納システムにおいて、前記第１携帯端末（２−１）の記憶部（２１；２２）に前記第Ｎ連続番組データ（４１）のコピーが格納され（Ｓ１１〜Ｓ１３）、前記第２携帯端末（２−２）の記憶部（２１；２２）に前記第（Ｎ＋１）連続番組データ（４２）が格納され、前記サーバ記憶部（１１；１３）に前記番組移動情報（８５）が格納されている（Ｓ４１〜Ｓ４６）。このときに、前記第１携帯端末（２−１）の制御部（２５）は、前記第１接続イベントに応じて、前記第１携帯管理情報を前記サーバ制御部（１５）に送信する（Ｓ２１、Ｓ２２）。
前記サーバ制御部（１５）は、前記蓄積番組リスト（５０）を参照した結果、前記第１携帯管理情報に含まれる前記第１再生時間（Ｔｚ）が、前記第Ｎ連続番組データ（４１）に対する前記所定範囲（Ｔｘｙ）内である（Ｓ２３、Ｓ２４−ＹＥＳ、Ｓ２５−ＹＥＳ）。且つ、前記第１携帯管理情報に含まれる残容量が、前記所定容量以下であるが、前記第（Ｎ＋１）連続番組データ（４２）の容量よりも大きい。
このとき、前記サーバ制御部（１５）は、前記サーバ記憶部（１１；１３）に格納された前記番組移動情報（８５）を前記第１携帯端末（２−１）の制御部（２５）に通知し（Ｓ５１）、前記第１携帯管理情報に含まれる前記コピー番組情報（８１）に対して、前記コピー番組視聴後削除命令（８２）を前記第１携帯端末（２−１）の制御部（２５）に通知する（Ｓ５１）。
前記サーバ制御部（１５）は、前記第２接続イベントが発生したときに（Ｓ４１）、要求後配信命令（８４）を前記第２携帯端末（２−２）の制御部（２５）に通知する（Ｓ５２）。
前記第１携帯端末（２−１）の制御部（２５）は、前記番組移動情報（８５）に応じて、前記第（Ｎ＋１）連続番組データ（４２）を要求するための要求情報（８６）を前記第２携帯端末（２−２）に送信する（Ｓ５３）。このとき、前記第２携帯端末（２−２）の制御部（２５）は、前記要求情報（８６）と前記要求後配信命令（８４）とに応じて、前記第２携帯端末（２−２）の記憶部（２１；２２）に格納された前記第（Ｎ＋１）連続番組データ（４２）をコピーし、前記第１携帯端末（２−１）の記憶部（２１；２２）に格納する（Ｓ５４）。
【００２０】
本発明の第３の観点による録画番組自動格納システムの効果について説明する。
【００２１】
本発明の第３の観点による録画番組自動格納システムでは、第（Ｎ＋１）連続番組データ（４２）が第２携帯端末（２−２）の記憶部（２１）に移動されていても、第１ユーザは、第１携帯端末（２−１）により第Ｎ連続番組データ（４１）を見終わっている場合又は見終わる可能性がある場合、第２携帯端末（２−２）から第（Ｎ＋１）連続番組データ（４２）を取得することができる。この場合、サーバ（１）のサーバ制御部（１５）は、第（Ｎ＋１）連続番組データ（４２）がサーバ（１）から第２携帯端末（２−２）に移動されたことを番組移動情報（８５）により第１携帯端末（２−１）に通知し、要求情報（８６）を受けたときに第（Ｎ＋１）連続番組データ（４２）を送信するための要求後配信命令（８４）を第２携帯端末（２−２）に通知する。第１携帯端末（２−１）の制御部（２５）が番組移動情報（８５）に応じて要求情報（８６）を第２携帯端末（２−２）に送信したとき、第２携帯端末（２−２）の制御部（２５）は、第２携帯端末（２−２）の記憶部（２１）に格納された第（Ｎ＋１）連続番組データ（４２）をコピーして第１携帯端末（２−１）の記憶部（２１）に格納する。これにより、第１ユーザは、第Ｎ連続番組データ（４１）を第１携帯端末（２−１）により視聴し終わった場合、第１携帯端末（２−１）により第２携帯端末（２−２）から第（Ｎ＋１）連続番組データ（４２）を取得して視聴することができる。
本発明の第３の観点では、複数の番組データを格納するサーバ記憶部（１１）を備えたサーバ（１）と、小容量の記憶部（２１）を備えた第１携帯端末（２−１）と、それよりも大容量の記憶部（２１）を備えた第２携帯端末（２−２）とのコンビネーションにより、ユーザが嗜好とする番組データを格納することができる。
このように、本発明の第３の観点による録画番組自動格納システムでは、ユーザの利便性が向上する。
【００２２】
本発明の録画番組自動格納システムにおいて、前記第１接続イベントは、前記第１携帯端末（２−１）に設けられた充電池を充電するための第１クレードル（３−１）に、前記第１携帯端末（２−１）が接続されたときに発生する（Ｓ２１）。前記サーバ制御部（１５）と前記第１携帯端末（２−１）は、前記第１クレードル（３−１）を介して通信する。
【００２３】
本発明の第１の観点による録画番組自動格納システムでは、上述のように、第１接続イベントは、第１携帯端末（２−１）が第１クレードル（３−１）に接続されたときに発生する。第１接続イベントが発生したときに、第１携帯端末（２−１）に設けられた充電池が家庭用電源から第１クレードル（３−１）を介して充電される。このため、第１ユーザは、第Ｎ連続番組データ（４１）を第１携帯端末（２−１）により視聴し終わった場合、第１携帯端末（２−１）を第１クレードル（３−１）に接続するだけで、第Ｎ連続番組データ（４１）の後の第（Ｎ＋１）連続番組データ（４２）を第１携帯端末（２−１）により視聴することができる。例えば、第１ユーザは、自身が嗜好とする番組データを外出先でしか視聴する時間がなく、第Ｎ連続番組データ（４１）を第１携帯端末（２−１）により視聴し終わっている場合、家に帰宅したときに第１携帯端末（２−１）を第１クレードル（３−１）に接続するだけで、また外出するときには、第Ｎ連続番組データ（４１）の後の第（Ｎ＋１）連続番組データ（４２）を第１携帯端末（２−１）により視聴することができる。
このように、本発明の第１の観点による録画番組自動格納システムでは、ユーザの利便性が向上する。
【００２４】
本発明の録画番組自動格納システムにおいて、前記第２接続イベントは、前記第２携帯端末（２−２）に設けられた充電池を充電するための第２クレードル（３−２）に、前記第２携帯端末（２−２）が接続されたときに発生する（Ｓ４１）。前記サーバ制御部（１５）と前記第２携帯端末（２−２）は、前記第２クレードル（３−２）を介して通信する。
【００２５】
本発明の第２の観点による録画番組自動格納システムでは、上述のように、第２接続イベントは、第２携帯端末（２−２）が第２クレードル（３−２）に接続されたときに発生する。第２接続イベントが発生したときに、第２携帯端末（２−２）に設けられた充電池が家庭用電源から第２クレードル（３−２）を介して充電される。このため、第２ユーザは、第Ｎ連続番組データ（４１）を第２携帯端末（２−２）により視聴し終わった場合、第２携帯端末（２−２）を第２クレードル（３−２）に接続するだけで、第Ｎ連続番組データ（４１）の後の第（Ｎ＋１）連続番組データ（４２）を第２携帯端末（２−２）により視聴することができる。
このように、本発明の第２の観点による録画番組自動格納システムでは、ユーザの利便性が向上する。
【００２６】
本発明の録画番組自動格納システムにおいて、前記サーバ（１）は、更に、前記複数の番組データを受信して前記サーバ記憶部（１１；１２）に格納する受信部（１０）を備えている。
【発明の効果】
【００２７】
以上により、本発明の録画番組自動格納システムによれば、ユーザの利便性が向上する。
本発明の録画番組自動格納システムによれば、ユーザは、第Ｎ連続番組データ（４１）を携帯端末（２−１、２−２）により視聴し終わった場合、手動コピー処理を行なわずに、第Ｎ連続番組データ（４１）の後の第（Ｎ＋１）連続番組データ（４２）を携帯端末（２−１、２−２）により視聴することができる。
本発明の録画番組自動格納システムによれば、ユーザは、第Ｎ連続番組データ（４１）を携帯端末（２−１、２−２）により視聴し終わった場合、携帯端末（２−１、２−２）をクレードル（３−１、３−２）に接続するだけで、第Ｎ連続番組データ（４１）の後の第（Ｎ＋１）連続番組データ（４２）を携帯端末（２−１、２−２）により視聴することができる。
本発明の録画番組自動格納システムによれば、携帯端末（２−１）の記憶部（２１）が小容量である場合、即ち、携帯端末（２−１）の記憶部（２１）の残容量に余裕がない場合、ユーザが携帯端末（２−１）により第Ｎ連続番組データ（４１）を見終わったら、第Ｎ連続番組データ（４１）が携帯端末（２−１）の記憶部（２１）から自動的に消去されるため、その記憶部（２１）の記憶容量を節約することができる。
本発明の録画番組自動格納システムによれば、携帯端末（２−２）の記憶部（２１）が大容量である場合、即ち、携帯端末（２−２）の記憶部（２１）の残容量に余裕がある場合、ユーザが嗜好の番組データがサーバ記憶部（１１）から携帯端末（２−２）の記憶部（２１）に移動されるため、サーバ（１）のサーバ記憶部（１１）の記憶容量を節約することができる。
本発明の録画番組自動格納システムによれば、複数の番組データを格納するサーバ記憶部（１１）を備えたサーバ（１）と、小容量の記憶部（２１）を備えた携帯端末（２−１）と、大容量の記憶部（２１）を備えた携帯端末（２−２）とのコンビネーションにより、ユーザが嗜好とする番組データを格納することができる。
【発明を実施するための最良の形態】
【００２８】
以下に添付図面を参照して、本発明の録画番組自動格納システムについて詳細に説明する。
【００２９】
図１は、本発明の録画番組自動格納システムの構成を示すブロック図である。
本発明の録画番組自動格納システムは、複数の携帯端末と、複数のクレードルと、サーバ１とを具備している。本実施例では、携帯端末とクレードルの数を２とし、複数の携帯端末をそれぞれ携帯端末２−１、２−２と称し、複数のクレードルをそれぞれクレードル３−１、３−２と称する。
クレードル３−１、３−２とサーバ１は、例えば、ユーザの自宅に設けられている。携帯端末２−１、２−２は、それぞれ、上記ユーザである第１ユーザ（例示；親）、第２ユーザ（例示；子）に使用される。クレードル３−１、３−２は、それぞれ、携帯端末２−１、２−２の内部に設けられた充電池に接続可能である。携帯端末２−１、２−２がそれぞれクレードル３−１、３−２に接続されたときに、携帯端末２−１、２−２に設けられた充電池は、それぞれ、家庭用電源からクレードル３−１、３−２を介して充電される。
サーバ１は、有線ネットワーク４を介してクレードル３−１、３−２と接続されている。有線ネットワーク４による接続としては、ＬＡＮ（Ｌｏｃａｌ  Ａｒｅａ  Ｎｅｔｗｏｒｋ）、ＵＳＢ（Ｕｎｉｖｅｒｓａｌ  Ｓｅｒｉａｌ  Ｂｕｓ）が例示される。
【００３０】
図２は、サーバ１の構成を示すブロック図である。
サーバ１は、コンピュータであり、受信部１０と、サーバ記憶部１１と、ＣＰＵ（Ｃｅｎｔｒａｌ  Ｐｒｏｃｅｓｓｉｎｇ  Ｕｎｉｔ）１４と、サーバ出力部１６と、デコーダ１７と、通信部１８と、入力部１９とを具備している。
通信部１８は、携帯端末２−１、２−２がクレードル３−１、３−２に接続されたときに、携帯端末２−１、２−２と有線ネットワーク４を介して通信可能である。
サーバ記憶部１１は、記憶領域１２と、管理テーブル１３と、ＣＰＵ１４が実行するコンピュータプログラムとを備えている。コンピュータプログラムは、サーバ制御部１５を含んでいる。
サーバ出力部１６は、表示部１６−１と、スピーカ１６−２とを含んでいる。
【００３１】
図３は、サーバ記憶部１１の記憶領域１２に格納される番組データを示している。
受信部１０は、アンテナを介して複数のチャンネルのそれぞれに対して、テレビ放送用の番組を表す複数の番組データを受信する。受信部１０は、その複数の番組データをサーバ記憶部１１の記憶領域１２に格納する。
複数の番組データの各々は、番組の動画像を表す動画像データと、番組の音声を表す音声データと、番組情報とを含んでいる。その番組情報は、番組識別子と、放送時間を表す放送時間情報とを含んでいる。番組識別子は、チャンネルを表すチャンネル情報と、放送日時と、番組のタイトルと、その番組データの容量を表す容量情報とを含んでいる。
【００３２】
ここで、複数の番組データのうち、ユーザ（第１ユーザ、第２ユーザ）が嗜好の番組データを選択番組データ３０とする。この場合、ユーザは、選択番組データ３０をサーバ１により視聴する。
また、第１ユーザ、第２ユーザは、サーバ１により、共通の番組データとして選択番組データ３０を視聴する場合もあるが、個人的に興味がある番組データについては携帯端末により視聴したい場合もある。
複数の番組データのうち、第１ユーザが嗜好の番組データを第１選択番組データ３１とする。この場合、第１ユーザは、第１選択番組データ３１を携帯端末２−１により視聴する。
複数の番組データのうち、第２ユーザが嗜好の番組データを第２選択番組データ３２とする。この場合、第２ユーザは、第２選択番組データ３２を携帯端末２−２により視聴する。
【００３３】
複数の番組データには、連続番組を表す第Ｎ連続番組データ４１（Ｎは１以上の整数）、第（Ｎ＋１）連続番組データ４２が含まれている。第Ｎ連続番組データ４１の番組情報の番組識別子は、タイトル「ＸＸＸ」と、第Ｎ話とを含み、第（Ｎ＋１）連続番組データ４２の番組情報の番組識別子は、上記と同じタイトル「ＸＸＸ」と、第（Ｎ＋１）話とを含んでいる。
【００３４】
図４は、サーバ記憶部１１の管理テーブル１３に格納される内容を示している。
管理テーブル１３には、管理リスト６０が格納されている。管理リスト６０は、携帯端末２−１、２−２の管理情報を表している。その管理情報は、後述する再生時間Ｔｚ、パラメータを含んでいる。パラメータは、お気に入り情報、視聴回数を含んでいる。その管理情報は、サーバ制御部１５によって更新される。
管理テーブル１３には、蓄積番組リスト５０が管理リスト６０に対応付けて格納される。蓄積番組リスト５０は、サーバ記憶部１１の記憶領域１２に格納された複数の番組データを表している。
管理テーブル１３には、後述する番組移動情報８５が格納される場合がある。番組移動情報８５は、ある番組データがサーバ１から携帯端末に移動するときに格納される。番組移動情報８５については第２実施形態にて説明する。番組データがサーバ１から携帯端末に移動する場合があるため、サーバ１は、サーバ記憶部１１の記憶領域１２に格納された複数の番組データを、管理テーブル１３を用いて管理する。
【００３５】
図５は、本発明の録画番組自動格納システムの動作の一部として、ユーザ（第１ユーザ、第２ユーザ）が選択番組データ３０をサーバ１により視聴するときの動作を示すフローチャートである。
【００３６】
受信部１０が複数の番組データを受信する度に、サーバ記憶部１１の記憶領域１２には、その複数の番組データが格納される。このため、サーバ制御部１５は、定期的に、上記蓄積番組リスト５０を生成して管理テーブル１３に格納（更新）する（ステップＳ１）。
蓄積番組リスト５０は、複数の番組データに対する番組識別子を含んでいる。
【００３７】
ユーザは、入力部１９を用いて、蓄積番組リスト表示指示を行なう。サーバ制御部１５は、蓄積番組リスト表示指示に応じて、管理テーブル１３に格納された蓄積番組リスト５０をサーバ出力部１６の表示部１６−１に表示する。ユーザは、蓄積番組リスト５０の番組識別子を参照して、入力部１９を用いて、サーバ記憶部１１の記憶領域１２に格納された複数の番組データの中から、ユーザの嗜好による選択番組データ３０を選択する。ユーザは、その選択番組データ３０を視聴するために、入力部１９を用いて、番組出力指示を行なう。サーバ制御部１５は、番組出力指示に応じて、その選択番組データ３０をデコーダ１７によりデコードし、その選択番組データ３０の動画像データを表示部１６−１に表示し、その選択番組データ３０の音声データをスピーカ１６−２に出力する（ステップＳ２）。
【００３８】
上記のステップＳ１にて生成される蓄積番組リスト５０は、複数の番組データに対する所定範囲Ｔｘｙを含んでいる。複数の番組データに対する所定範囲Ｔｘｙは、それぞれ、複数の番組データが最初から途中まで放送されたときの設定時間Ｔｘから、複数の番組データが最初から最後まで放送されたときの放送時間Ｔｙまでの範囲を表している。複数の番組データに対する設定時間Ｔｘは、それぞれ、ユーザが複数の番組データを見終わりそうな時間として、例えば、複数の番組データに対する放送時間Ｔｙの８０％としている。
例えば、第Ｎ連続番組データ４１の放送時間Ｔｙが６０分である場合、第Ｎ連続番組データ４１の設定時間Ｔｘを４８分としている。
【００３９】
図６は、携帯端末２−１、２−２の構成を示すブロック図である。
携帯端末２−１、２−２は、コンピュータであり、記憶部２１と、ＣＰＵ２４と、出力部２６と、デコーダ２７と、通信部２８と、入力部２９とを具備している。
通信部２８は、基地局との無線通信が可能である。無線通信については公知であるため、説明を省略する。また、通信部２８は、携帯端末２−１、２−２がクレードル３−１、３−２に接続されたときに、サーバ１の通信部１８と有線ネットワーク４を介して通信可能である。
記憶部２１は、記憶領域２２と、ＣＰＵ２４が実行するコンピュータプログラムとを備えている。コンピュータプログラムは、制御部２５を含んでいる。
出力部２６は、表示部２６−１と、スピーカ２６−２とを含んでいる。
【００４０】
図７は、記憶部２１の記憶領域２２に格納される内容を示している。
記憶部２１の記憶領域２２には、ユーザの嗜好による番組データが格納される。
その記憶領域２２には、携帯管理情報７０が格納されている。携帯管理情報７０は、後述する再生時間Ｔｚ、パラメータを含んでいる。パラメータは、お気に入り情報、視聴回数を含んでいる。その携帯管理情報７０は、制御部２５によって更新される。
その記憶領域２２には、後述する制御情報８０が格納される。制御情報８０については第１実施形態〜第３実施形態にて説明する。
【００４１】
（第１実施形態）
本発明の第１実施形態による録画番組自動格納システムについて説明する。
第１実施形態では、第１ユーザは、携帯端末２−１により、第１ユーザの嗜好による番組データを視聴する場合について説明する。この携帯端末２−１の記憶部２１の記憶領域２２を表す記憶容量は、サーバ記憶部１１の記憶領域１２を表す記憶容量よりもはるかに小さい。このため、携帯端末２−１の記憶部２１の記憶領域２２のうちの未使用領域を表す残容量は、所定容量以下であるものとする。所定容量は、複数の番組データを一度に格納するのに充分な容量を表す。
【００４２】
図８は、本発明の録画番組自動格納システムの動作の一部として、第１ユーザが第１選択番組データ３１を携帯端末２−１により視聴するときの動作を示すフローチャートである。
【００４３】
携帯端末２−１がクレードル３−１の所定の場所に置かれている。この場合、携帯端末２−１の通信部２８は、クレードル３−１を介して有線ネットワーク４によりサーバ１の通信部１８と通信可能である。第１ユーザは、携帯端末２−１の入力部２９を用いて、蓄積番組リスト表示指示をサーバ制御部１５に行なう。サーバ制御部１５は、蓄積番組リスト表示指示に応じて、管理テーブル１３に格納された蓄積番組リスト５０を、クレードル３−１を介して、携帯端末２−１の出力部２６の表示部２６−１に表示する。第１ユーザは、蓄積番組リスト５０の番組識別子を参照して、携帯端末２−１の入力部２９を用いて、サーバ記憶部１１に格納された複数の番組データの中から、ユーザの嗜好による第１選択番組データ３１を選択するための第１選択番組要求をサーバ制御部１５に行なう（ステップＳ１１）。この第１選択番組要求は、携帯端末２−１の記憶部２１の記憶領域２２の残容量を含んでいる。
【００４４】
サーバ制御部１５は、蓄積番組リスト５０を参照した結果、第１選択番組要求に含まれる残容量が所定容量以下であるが、選択番組データ３１の容量より大きいことを認識する。この場合、サーバ制御部１５は、サーバ記憶部１１に格納された前記複数の番組データのうちの第１選択番組データ３１をコピーして、携帯端末２−１の記憶部２１に格納する。このとき、サーバ制御部１５は、第１選択番組データ３１がコピーであることを表すコピー番組情報８１を上記の制御情報８０として、第１選択番組データ３１に対応付けて携帯端末２−１の記憶部２１に格納する（ステップＳ１２）。
コピー番組情報８１は、その第１選択番組データ３１が圧縮可能であることを示すコピー番組圧縮可能情報と、その第１選択番組データ３１が削除可能であることを表すコピー番組削除情報とを含んでいる。
【００４５】
第１ユーザは、携帯端末２−１をクレードル３−１の所定の場所に置いたままでも、携帯端末２−１をクレードル３−１から離しても、携帯端末２−１の記憶部２１に格納された第１選択番組データ３１を視聴することができる。
第１ユーザは、その第１選択番組データ３１を視聴するために、携帯端末２−１の入力部２９を用いて、番組出力指示を行なう。携帯端末２−１の制御部２５は、番組出力指示に応じて、その第１選択番組データ３１を携帯端末２−１のデコーダ２７によりデコードし、その第１選択番組データ３１の動画像データを携帯端末２−１の表示部２６−１に表示し、その第１選択番組データ３１の音声データを携帯端末２−１のスピーカ２６−２に出力する。携帯端末２−１の制御部２５は、第１ユーザによる番組出力停止指示が行なわれるまで、その第１選択番組データ３１を携帯端末２−１の出力部２６（表示部２６−１、スピーカ２６−２）に出力する（ステップＳ１３）。
【００４６】
ステップＳ１３にて、携帯端末２−１の制御部２５は、その第１選択番組データ３１を最初から携帯端末２−１の出力部２６に出力したときの第１再生時間Ｔｚを、第１選択番組データ３１に対応付けて携帯端末２−１の記憶部２１に格納する。このとき、携帯端末２−１の制御部２５は、その第１選択番組データ３１を最初から最後まで携帯端末２−１の出力部２６に出力した場合、携帯管理情報７０のパラメータとして、１を加算した視聴回数を、第１選択番組データ３１に対応付けて携帯端末２−１の記憶部２１に格納する。
【００４７】
例えば、上記のコピー番組情報８１としてコピー番組削除情報が第１選択番組データ３１に対応付けて携帯端末２−１の記憶部２１に格納されている。この場合、ステップＳ１３にて、第１ユーザは、その第１選択番組データ３１を視聴した結果、気に入らないとき、携帯端末２−１の入力部２９を用いて、携帯端末２−１の記憶部２１から第１選択番組データ３１を削除することができる。
【００４８】
例えば、第１ユーザは、その第１選択番組データ３１を視聴した結果、気に入ったとき、第１選択番組データ３１を削除した後、その第１選択番組データ３１を再度視聴したい場合がある。この場合、ステップＳ１３にて、第１ユーザは、第１選択番組データ３１をサーバ１から再度要求するときのために、携帯端末２−１の入力部２９を用いて、携帯管理情報７０のパラメータとして、その第１選択番組データ３１を気に入った旨を示すお気に入り情報を、第１選択番組データ３１に対応付けて携帯端末２−１の記憶部２１に格納する。
【００４９】
例えば、上記のコピー番組情報８１としてコピー番組圧縮可能情報が第１選択番組データ３１に対応付けて携帯端末２−１の記憶部２１に格納されている。この場合、ステップＳ１３にて、第１ユーザは、その第１選択番組データ３１を視聴した結果、気に入って保存しておきたいとき、携帯端末２−１の記憶部２１の記憶領域２２を節約するために、携帯端末２−１の入力部２９を用いて、携帯端末２−１の記憶部２１に格納された第１選択番組データ３１を圧縮することができる。また、第１ユーザは、携帯端末２−１の入力部２９を用いて、第１選択番組データ３１の最初から上記再生時間Ｔｚまでの部分を圧縮することができる。または、第１ユーザは、ステップＳ１１にて、携帯端末２−１の入力部２９を用いて、圧縮された第１選択番組データ３１をサーバ１から要求し、第１選択番組データ３１に代えて、圧縮された第１選択番組データ３１を携帯端末２−１の記憶部２１に格納することができる。
【００５０】
図９は、本発明の録画番組自動格納システムの動作の一部として、第１ユーザが嗜好の第１選択番組データ３１が第Ｎ連続番組データ４１であり、第１ユーザが第Ｎ連続番組データ４１を携帯端末２−１により視聴したときの動作を示すフローチャートである。
【００５１】
第１ユーザは、携帯端末２−１をクレードル３−１の所定の場所に置く。このとき、携帯端末２−１はクレードル３−１を介してサーバ１と接続される第１接続イベントが発生し、携帯端末２−１の通信部２８は、クレードル３−１を介してサーバ１の通信部１８と通信可能である（ステップＳ２１）。第１接続イベントが発生したときに、携帯端末２−１に設けられた充電池が家庭用電源からクレードル３−１を介して充電される。
携帯端末２−１の制御部２５は、第１接続イベントに応じて、第１携帯管理情報を、クレードル３−１を介してサーバ制御部１５に送信する（ステップＳ２２）。第１携帯管理情報は、携帯端末２−１の記憶部２１に格納された番組データの番組識別子、携帯管理情報７０、制御情報８０と、携帯端末２−１の記憶部２１の記憶領域２２の残容量とを含んでいる。
【００５２】
サーバ制御部１５は、管理テーブル１３に格納された蓄積番組リスト５０を参照して、複数の番組データに対する番組識別子の中から、第１携帯管理情報に含まれる番組データの番組識別子と一致する番組識別子を検索する。次に、サーバ制御部１５は、管理テーブル１３に格納された管理リスト６０が表す携帯端末２−１の管理情報の中から、上記検索された番組識別子に対応する管理情報を検索する。次いで、サーバ制御部１５は、上記検索された管理情報に含まれる再生時間Ｔｚ、パラメータ（お気に入り情報、視聴回数）を、第１携帯管理情報に含まれる携帯管理情報７０に含まれる第１再生時間Ｔｚ、パラメータ（お気に入り情報、視聴回数）に変更する。即ち、サーバ制御部１５は、管理テーブル１３に格納された管理リスト６０が表す携帯端末２−１の管理情報を更新する（ステップＳ２３）。
【００５３】
管理リスト６０が表す携帯端末２−１の管理情報のうち、上記の第１選択番組データ３１として第Ｎ連続番組データ４１に対応する管理情報が更新されている。この場合、第１ユーザは、第Ｎ連続番組データ４１を視聴している（ステップＳ２４−ＹＥＳ）。
【００５４】
管理リスト６０が表す携帯端末２−１の管理情報のうち、第Ｎ連続番組データ４１に対応する管理情報が更新されている場合、第１携帯管理情報は、上記の携帯管理情報７０として、第Ｎ連続番組データ４１に対する第１再生時間Ｔｚを含み、上記の制御情報８０として、第Ｎ連続番組データ４１に対するコピー番組情報８１を含んでいる。
サーバ制御部１５は、蓄積番組リスト５０を参照して、第１携帯管理情報に含まれる第Ｎ連続番組データ４１の第１再生時間Ｔｚが、第Ｎ連続番組データ４１に対する所定範囲Ｔｘｙ内であるか否かを調べる（ステップＳ２５）。
【００５５】
第Ｎ連続番組データ４１の第１再生時間Ｔｚは、第Ｎ連続番組データ４１に対する所定範囲Ｔｘｙ内である（ステップＳ２５−ＹＥＳ）。
即ち、上記の第１再生時間Ｔｚは、上記の所定範囲Ｔｘｙとして放送時間Ｔｙ（６０分）に達している。この場合、第１ユーザは第Ｎ連続番組データ４１を見終わっている。
または、上記の第１再生時間Ｔｚは、上記の所定範囲Ｔｘｙとして、放送時間Ｔｙ（６０分）に達していないが、設定時間Ｔｘ（４８分）を超えている。この場合、第１ユーザは第Ｎ連続番組データ４１を再生して数分で見終わる可能性がある。
【００５６】
サーバ制御部１５は、蓄積番組リスト５０を参照した結果、第１携帯管理情報に含まれる残容量が所定容量以下であるが、第（Ｎ＋１）連続番組データ４２の容量より大きいことを認識する。この場合、サーバ制御部１５は、サーバ記憶部１１に格納された複数の番組データのうちの第（Ｎ＋１）連続番組データ４２をコピーして、携帯端末２−１の記憶部２１に格納する。このとき、サーバ制御部１５は、第（Ｎ＋１）連続番組データ４２がコピーであることを表すコピー番組情報８１を上記の制御情報８０として、第（Ｎ＋１）連続番組データ４２に対応付けて携帯端末２−１の記憶部２１に格納する（ステップＳ２６）。
ステップＳ２６にて、サーバ制御部１５は、第１携帯管理情報に含まれる第Ｎ連続番組データ４１のコピー番組情報８１に対して、コピー番組視聴後削除命令８２を携帯端末２−１の制御部２５に通知する。このとき、コピー番組視聴後削除命令８２を上記の制御情報８０として、第Ｎ連続番組データ４１に対応付けて携帯端末２−１の記憶部２１に格納する。
【００５７】
ここで、携帯端末２−１の制御部２５は、既に、第Ｎ連続番組データ４１を最後まで携帯端末２−１の出力部２６に出力している。即ち、第１ユーザは第Ｎ連続番組データ４１を見終わっている。この場合、携帯端末２−１の制御部２５は、コピー番組視聴後削除命令８２に応じて、携帯端末２−１の記憶部２１から第Ｎ連続番組データ４１を消去する（ステップＳ２７）。
または、携帯端末２−１の制御部２５は、上記のステップＳ１３を実行したときに、第Ｎ連続番組データ４１を最後まで携帯端末２−１の出力部２６に出力する。即ち、第１ユーザは第Ｎ連続番組データ４１を再生して数分で見終わる。この場合でも、携帯端末２−１の制御部２５は、上記のステップＳ２７を実行する。
【００５８】
なお、サーバ記憶部１１に第（Ｎ＋１）連続番組データ４２が未だ格納されていない場合、ステップＳ２６にて、例えば、サーバ制御部１５は、第（Ｎ＋１）連続番組データ４２の代わりに、第１ユーザが気に入っている番組データについて、ステップＳ２６を実行することもできる。
この場合、例えば、サーバ制御部１５は、管理テーブル１３に格納された管理リスト６０を参照して、複数の番組データの中から、第１ユーザによるお気に入り情報に対応する候補番組データを検索する。次に、サーバ制御部１５は、候補番組データの中から、視聴回数が最も多い番組データを検索し、検索された番組データについてステップＳ２６を実行する。
【００５９】
ここで、本発明の第１実施形態による録画番組自動格納システムの効果について説明する。
【００６０】
第Ｎ連続番組データ４１が携帯端末２−１の記憶部２１に格納されている場合、第１ユーザは、その第Ｎ連続番組データ４１を携帯端末２−１により視聴することができる。第Ｎ連続番組データ４１は、第１ユーザが嗜好の番組データである。第１ユーザは、その第Ｎ連続番組データ４１を視聴し終わった場合、第Ｎ連続番組データ４１の後の第（Ｎ＋１）連続番組データ４２を視聴したい。この場合、第１ユーザは、第（Ｎ＋１）連続番組データ４２を視聴するために、通常であれば、サーバ１と携帯端末２−１とを接続して、サーバ記憶部１１に格納された第（Ｎ＋１）連続番組データ４２を携帯端末２−１にコピーする手動コピー処理を行なう。しかし、第１ユーザは、次に視聴する番組データが決まっているのに、手動コピー処理を行なわなければならない。
また、携帯端末２−１の記憶部２１の記憶領域２２を表す記憶容量は、サーバ１のサーバ記憶部１１の記憶領域１２を表す記憶容量よりもはるかに小さい。このため、携帯端末２−１の記憶部２１の残容量が、第（Ｎ＋１）連続番組データ４２の容量よりも大きくても、所定容量以下である場合がある。このような場合、第１ユーザが嗜好とする複数の番組データを一度に携帯端末２−１の記憶部２１に格納することに限度がある。
この状態では、ユーザにとって利便性に欠ける。
【００６１】
そこで、本発明の第１実施形態による録画番組自動格納システムでは、サーバ１と携帯端末２−１とを接続する第１接続イベントが発生したときに、第１ユーザが携帯端末２−１により第Ｎ連続番組データ４１を見終わっている場合、第（Ｎ＋１）連続番組データ４２が携帯端末２−１の記憶部２１に自動的に格納され、第Ｎ連続番組データ４１が携帯端末２−１の記憶部２１から自動的に消去される。この場合、第１ユーザが携帯端末２−１により第Ｎ連続番組データ４１を見終わっているとき、携帯端末２−１の出力部２６に出力された第Ｎ連続番組データ４１の第１再生時間Ｔｚが、第Ｎ連続番組データ４１に対する所定範囲Ｔｘｙとして放送時間Ｔｙに達している。このとき、サーバ１のサーバ制御部１５は、サーバ記憶部１１に格納された第（Ｎ＋１）連続番組データ４２をコピーして携帯端末２−１の記憶部２１に格納し、その第Ｎ連続番組データ４１を視聴完了後に携帯端末２−１の記憶部２１から消去するためのコピー番組視聴後削除命令８２を携帯端末２−１に通知する。ここで、携帯端末２−１の記憶部２１に格納される第Ｎ連続番組データ４１、第（Ｎ＋１）連続番組データ４２は、それぞれ、視聴完了後に消去されるため、サーバ記憶部１１に格納された第Ｎ連続番組データ４１、第（Ｎ＋１）連続番組データ４２のコピーであることが好ましい。
これにより、第１ユーザは、第Ｎ連続番組データ４１を携帯端末２−１により視聴し終わった場合、手動コピー処理を行なわずに、第Ｎ連続番組データ４１の後の第（Ｎ＋１）連続番組データ４２を携帯端末２−１により視聴することができる。
また、携帯端末２−１の記憶部２１が小容量である場合、即ち、携帯端末２−１の記憶部２１の残容量に余裕がない場合、第１ユーザが携帯端末２−１により第Ｎ連続番組データ４１を見終わったら、第Ｎ連続番組データ４１が携帯端末２−１の記憶部２１から自動的に消去されるため、その記憶部２１の記憶容量を節約することができる。
このように、本発明の第１実施形態による録画番組自動格納システムでは、ユーザの利便性が向上する。
【００６２】
また、携帯端末２−１の記憶部２１の記憶容量を節約するために、第Ｎ連続番組データ４１を携帯端末２−１の記憶部２１から消去させてから、第（Ｎ＋１）連続番組データ４２を携帯端末２−１の記憶部２１に格納させてもよい。
この場合、第Ｎ連続番組データ４１の第１再生時間Ｔｚが第Ｎ連続番組データ４１に対する所定範囲Ｔｘｙ内であり（ステップＳ２５−ＹＥＳ）、上記の第１再生時間Ｔｚが上記の所定範囲Ｔｘｙとして放送時間Ｔｙ（６０分）に達している。ステップＳ２６にて、サーバ制御部１５は、コピー番組視聴後削除命令８２を上記の制御情報８０として、第Ｎ連続番組データ４１に対応付けて携帯端末２−１の記憶部２１に格納し、携帯端末２−１にステップＳ２７を実行させる。その後、ステップＳ２６にて、サーバ制御部１５は、第（Ｎ＋１）連続番組データ４２がコピーであることを表すコピー番組情報８１を上記の制御情報８０として、第（Ｎ＋１）連続番組データ４２に対応付けて携帯端末２−１の記憶部２１に格納する。
このような動作においても、本発明の第１実施形態による録画番組自動格納システムでは、ユーザの利便性が向上する。
【００６３】
例えば、第１ユーザは、第Ｎ連続番組データ４１を見終わっていないと思って、その第Ｎ連続番組データ４１を携帯端末２−１により視聴してみたら、その第Ｎ連続番組データ４１の未視聴部分が少なくて、すぐ見終わってしまう場合がある。このような場合、上記の第１接続イベントが発生するまで、第１ユーザは、第Ｎ連続番組データ４１の後の第（Ｎ＋１）連続番組データ４２を携帯端末２−１により視聴することができない。
この状態では、ユーザにとって利便性に欠ける。
【００６４】
そこで、本発明の第１実施形態による録画番組自動格納システムでは、上記の第１接続イベントが発生したときに、第１ユーザが携帯端末２−１により第Ｎ連続番組データ４１を見終わる可能性がある場合、第（Ｎ＋１）連続番組データ４２が携帯端末２−１の記憶部２１に自動的に格納され、第１ユーザが携帯端末２−１により第Ｎ連続番組データ４１を見終わった場合、第Ｎ連続番組データ４１が携帯端末２−１の記憶部２１から自動的に消去される。この場合、第１ユーザが携帯端末２−１により第Ｎ連続番組データ４１を見終わる可能性があるとき、携帯端末２−１の出力部２６に出力された第Ｎ連続番組データ４１の第１再生時間Ｔｚが、第Ｎ連続番組データ４１に対する所定範囲Ｔｘｙとして設定時間Ｔｘを超えている。このとき、サーバ１のサーバ制御部１５は、サーバ記憶部１１に格納された第（Ｎ＋１）連続番組データ４２をコピーして携帯端末２−１の記憶部２１に格納し、上記のコピー番組視聴後削除命令８２を携帯端末２−１に通知する。これにより、第１ユーザは、第Ｎ連続番組データ４１を携帯端末２−１により視聴し終わった場合、手動コピー処理を行なわずに、第Ｎ連続番組データ４１の後の第（Ｎ＋１）連続番組データ４２を携帯端末２−１により視聴することができる。
このように、本発明の第１実施形態による録画番組自動格納システムでは、ユーザの利便性が向上する。
【００６５】
本発明の第１実施形態による録画番組自動格納システムでは、上述のように、第１接続イベントは、携帯端末２−１がクレードル３−１に接続されたときに発生する。第１接続イベントが発生したときに、携帯端末２−１に設けられた充電池が家庭用電源からクレードル３−１を介して充電される。このため、第１ユーザは、第Ｎ連続番組データ４１を携帯端末２−１により視聴し終わった場合、携帯端末２−１をクレードル３−１に接続するだけで、第Ｎ連続番組データ４１の後の第（Ｎ＋１）連続番組データ４２を携帯端末２−１により視聴することができる。例えば、第１ユーザは、自身が嗜好とする番組データを外出先でしか視聴する時間がなく、第Ｎ連続番組データ４１を携帯端末２−１により視聴し終わっている場合、家に帰宅したときに携帯端末２−１をクレードル３−１に接続するだけで、また外出するときには、第Ｎ連続番組データ４１の後の第（Ｎ＋１）連続番組データ４２を携帯端末２−１により視聴することができる。
このように、本発明の第１実施形態による録画番組自動格納システムでは、ユーザの利便性が向上する。
【００６６】
（第２実施形態）
本発明の第２実施形態による録画番組自動格納システムについて説明する。第２実施形態では、第１実施形態と同じ説明を省略する。
第２実施形態では、第２ユーザは、携帯端末２−２により、第２ユーザの嗜好による番組データを視聴する場合について説明する。この携帯端末２−２の記憶部２１の記憶領域２２を表す記憶容量は、携帯端末２−１の記憶部２１の記憶領域２２を表す記憶容量よりもはるかに大きく、携帯端末２−２は、携帯端末２−１に対する次世代の携帯端末である。このため、携帯端末２−２の記憶部２１の記憶領域２２のうちの未使用領域を表す残容量は、所定容量よりも大きいものとする。
【００６７】
図１０は、本発明の録画番組自動格納システムの動作の一部として、第２ユーザが第２選択番組データ３２を携帯端末２−２により視聴するときの動作を示すフローチャートである。
【００６８】
携帯端末２−２がクレードル３−２の所定の場所に置かれている。この場合、携帯端末２−２の通信部２８は、クレードル３−２を介してサーバ１の通信部１８と通信可能である。第２ユーザは、携帯端末２−２の入力部２９を用いて、蓄積番組リスト表示指示をサーバ制御部１５に行なう。サーバ制御部１５は、蓄積番組リスト表示指示に応じて、管理テーブル１３に格納された蓄積番組リスト５０を、クレードル３−２を介して、携帯端末２−２の出力部２６の表示部２６−１に表示する。第２ユーザは、蓄積番組リスト５０の番組識別子を参照して、携帯端末２−２の入力部２９を用いて、サーバ記憶部１１に格納された複数の番組データの中から、ユーザの嗜好による第２選択番組データ３２を選択するための第２選択番組要求をサーバ制御部１５に行なう（ステップＳ３１）。この第２選択番組要求は、携帯端末２−２の記憶部２１の記憶領域２２の残容量を含んでいる。
【００６９】
サーバ制御部１５は、蓄積番組リスト５０を参照した結果、第２選択番組要求に含まれる残容量が、選択番組データ３２の容量より大きく、所定容量よりも大きいことを認識する。この場合、サーバ制御部１５は、サーバ記憶部１１に格納された前記複数の番組データのうちの第２選択番組データ３２を携帯端末２−２の記憶部２１に移動する。このとき、サーバ制御部１５は、携帯端末２−２の記憶部２１に格納された第２選択番組データ３２の消去を禁止するための移動番組削除禁止命令８３を、上記の制御情報８０として、第２選択番組データ３２に対応付けて携帯端末２−２の記憶部２１に格納する（ステップＳ３２）。
ステップＳ３２にて、サーバ制御部１５は、第２選択番組データ３２がサーバ１から携帯端末２−２に移動されたことを表す番組移動情報８５を生成し、第２選択番組データ３２の番組識別子に対応付けて管理テーブル１３に格納する。
【００７０】
第２ユーザは、携帯端末２−２をクレードル３−２の所定の場所に置いたままでも、携帯端末２−２をクレードル３−２から離しても、携帯端末２−２の記憶部２１に格納された第２選択番組データ３２を視聴することができる。
第２ユーザは、その第２選択番組データ３２を視聴するために、携帯端末２−２の入力部２９を用いて、番組出力指示を行なう。携帯端末２−２の制御部２５は、番組出力指示に応じて、その第２選択番組データ３２を携帯端末２−２のデコーダ２７によりデコードし、その第２選択番組データ３２の動画像データを携帯端末２−２の表示部２６−１に表示し、その第２選択番組データ３２の音声データを携帯端末２−２のスピーカ２６−２に出力する。携帯端末２−２の制御部２５は、第２ユーザによる番組出力停止指示が行なわれるまで、その第２選択番組データ３２を携帯端末２−２の出力部２６（表示部２６−１、スピーカ２６−２）に出力する（ステップＳ３３）。
【００７１】
ステップＳ３３にて、携帯端末２−２の制御部２５は、その第２選択番組データ３２を最初から携帯端末２−２の出力部２６に出力したときの第２再生時間Ｔｚを、第２選択番組データ３２に対応付けて携帯端末２−２の記憶部２１に格納する。このとき、携帯端末２−２の制御部２５は、その第２選択番組データ３２を最初から最後まで携帯端末２−２の出力部２６に出力した場合、携帯管理情報７０のパラメータとして、１を加算した視聴回数を、第２選択番組データ３２に対応付けて携帯端末２−２の記憶部２１に格納する。
【００７２】
図１１は、本発明の録画番組自動格納システムの動作の一部として、第２ユーザが嗜好の第２選択番組データ３２が第Ｎ連続番組データ４１であり、第２ユーザが第Ｎ連続番組データ４１を携帯端末２−２により視聴したときの動作を示すフローチャートである。
【００７３】
第２ユーザは、携帯端末２−２をクレードル３−２の所定の場所に置く。このとき、携帯端末２−２はクレードル３−２を介してサーバ１と接続される第２接続イベントが発生し、携帯端末２−２は、クレードル３−２を介してサーバ１と通信可能である（ステップＳ４１）。第２接続イベントが発生したときに、携帯端末２−２に設けられた充電池が家庭用電源からクレードル３−２を介して充電される。
携帯端末２−２の制御部２５は、第２接続イベントに応じて、第１携帯管理情報を、クレードル３−２を介してサーバ制御部１５に送信する（ステップＳ４２）。第２携帯管理情報は、携帯端末２−２の記憶部２１に格納された番組データの番組識別子、携帯管理情報７０、制御情報８０と、携帯端末２−２の記憶部２１の記憶領域２２の残容量とを含んでいる。
【００７４】
サーバ制御部１５は、管理テーブル１３に格納された蓄積番組リスト５０を参照して、複数の番組データに対する番組識別子の中から、第２携帯管理情報に含まれる番組データの番組識別子と一致する番組識別子を検索する。次に、サーバ制御部１５は、管理テーブル１３に格納された管理リスト６０が表す携帯端末２−２の管理情報の中から、上記検索された番組識別子に対応する管理情報を検索する。次いで、サーバ制御部１５は、上記検索された管理情報に含まれる再生時間Ｔｚ、パラメータ（お気に入り情報、視聴回数）を、第２携帯管理情報に含まれる携帯管理情報７０に含まれる第２再生時間Ｔｚ、パラメータ（お気に入り情報、視聴回数）に変更する。即ち、サーバ制御部１５は、管理テーブル１３に格納された管理リスト６０が表す携帯端末２−２の管理情報を更新する（ステップＳ４３）。
【００７５】
管理リスト６０が表す携帯端末２−２の管理情報のうち、上記の第２選択番組データ３２として第Ｎ連続番組データ４１に対応する管理情報が更新されている。この場合、第２ユーザは、第Ｎ連続番組データ４１を視聴している（ステップＳ４４−ＹＥＳ）。
【００７６】
管理リスト６０が表す携帯端末２−２の管理情報のうち、第Ｎ連続番組データ４１に対応する管理情報が更新されている場合、第２携帯管理情報は、上記の携帯管理情報７０として、第Ｎ連続番組データ４１に対する第２再生時間Ｔｚを含んでいる。
サーバ制御部１５は、蓄積番組リスト５０を参照して、第２携帯管理情報に含まれる第Ｎ連続番組データ４１の第２再生時間Ｔｚが、第Ｎ連続番組データ４１に対する所定範囲Ｔｘｙ内であるか否かを調べる（ステップＳ４５）。
【００７７】
第Ｎ連続番組データ４１の第２再生時間Ｔｚは、第Ｎ連続番組データ４１に対する所定範囲Ｔｘｙ内である（ステップＳ４５−ＹＥＳ）。
即ち、上記の第２再生時間Ｔｚは、上記の所定範囲Ｔｘｙとして放送時間Ｔｙ（６０分）に達している。この場合、第２ユーザは第Ｎ連続番組データ４１を見終わっている。
または、上記の第２再生時間Ｔｚは、上記の所定範囲Ｔｘｙとして、放送時間Ｔｙ（６０分）に達していないが、設定時間Ｔｘ（４８分）を超えている。この場合、第２ユーザは第Ｎ連続番組データ４１を再生して数分で見終わる可能性がある。
【００７８】
サーバ制御部１５は、蓄積番組リスト５０を参照した結果、第２携帯管理情報に含まれる残容量が、第（Ｎ＋１）連続番組データ４２の容量より大きく、所定容量よりも大きいことを認識する。この場合、サーバ制御部１５は、サーバ記憶部１１に格納された複数の番組データのうちの第（Ｎ＋１）連続番組データ４２を、携帯端末２−２の記憶部２１に移動する。サーバ制御部１５は、携帯端末２−２の記憶部２１に格納された第（Ｎ＋１）連続番組データ４２の消去を禁止するための移動番組削除禁止命令８３を、携帯端末２−２の制御部２５に通知する。このとき、その移動番組削除禁止命令８３を、上記の制御情報８０として、第（Ｎ＋１）連続番組データ４２に対応付けて携帯端末２−２の記憶部２１に格納する（ステップＳ４６）。
ステップＳ４６にて、サーバ制御部１５は、第（Ｎ＋１）連続番組データ４２がサーバ１から携帯端末２−２に移動されたことを表す番組移動情報８５を生成し、第（Ｎ＋１）連続番組データ４２の番組識別子に対応付けて管理テーブル１３に格納する。
【００７９】
なお、サーバ記憶部１１に第（Ｎ＋１）連続番組データ４２が未だ格納されていない場合、ステップＳ４６にて、例えば、サーバ制御部１５は、第（Ｎ＋１）連続番組データ４２の代わりに、第２ユーザが気に入っている番組データについて、ステップＳ４６を実行することもできる。
この場合、例えば、サーバ制御部１５は、管理テーブル１３に格納された管理リスト６０を参照して、複数の番組データの中から、第２ユーザによるお気に入り情報に対応する候補番組データを検索する。次に、サーバ制御部１５は、候補番組データの中から、視聴回数が最も多い番組データを検索し、検索された番組データについてステップＳ４６を実行する。
【００８０】
ここで、本発明の第２実施形態による録画番組自動格納システムの効果について説明する。
【００８１】
第Ｎ連続番組データ４１が携帯端末２−２の記憶部２１に格納されている場合、第２ユーザは、その第Ｎ連続番組データ４１を携帯端末２−２により視聴することができる。第Ｎ連続番組データ４１は、第２ユーザが嗜好の番組データである。この携帯端末２−２の記憶部２１の記憶領域２２を表す記憶容量は、携帯端末２−１の記憶部２１の記憶領域２２を表す記憶容量よりもはるかに大きく、携帯端末２−２は、携帯端末２−１に対する次世代の携帯端末である。このため、携帯端末２−２の記憶部２１の残容量は、所定容量よりも大きい場合がある。
【００８２】
そこで、本発明の第２実施形態による録画番組自動格納システムでは、サーバ１と携帯端末２−２とを接続する第２接続イベントが発生したときに、第２ユーザが携帯端末２−２により第Ｎ連続番組データ４１を見終わっている場合又は見終わる可能性がある場合、第（Ｎ＋１）連続番組データ４２が携帯端末２−２の記憶部２１に自動的に格納される。この場合、サーバ１のサーバ制御部１５は、第（Ｎ＋１）連続番組データ４２をサーバ記憶部１１から携帯端末２−２の記憶部２１に移動し、第（Ｎ＋１）連続番組データ４２の消去を禁止するための移動番組削除禁止命令８３を携帯端末２−２に通知する。これにより、第２ユーザは、第Ｎ連続番組データ４１を携帯端末２−２により視聴し終わった場合、手動コピー処理を行なわずに、第Ｎ連続番組データ４１の後の第（Ｎ＋１）連続番組データ４２を携帯端末２−２により視聴することができる。
また、携帯端末２−２の記憶部２１が大容量である場合、即ち、携帯端末２−２の記憶部２１の残容量に余裕がある場合、第２ユーザが嗜好の番組データがサーバ記憶部１１から携帯端末２−２の記憶部２１に移動されるため、サーバ記憶部１１の記憶容量を節約することができる。
また、サーバ制御部１５は、番組移動情報８５により第（Ｎ＋１）連続番組データ４２がサーバ１から携帯端末２−２に移動されたことを管理している。このため、サーバ制御部１５は、携帯端末２−１の記憶部２１に第（Ｎ＋１）連続番組データ４２を格納する必要があるときに、番組移動情報８５を携帯端末２−１に通知すればよい。
このように、本発明の第２実施形態による録画番組自動格納システムでは、ユーザの利便性が向上する。
【００８３】
本発明の第２実施形態による録画番組自動格納システムでは、上述のように、第２接続イベントは、携帯端末２−２がクレードル３−２に接続されたときに発生する。第２接続イベントが発生したときに、携帯端末２−２に設けられた充電池が家庭用電源からクレードル３−２を介して充電される。このため、第２ユーザは、第Ｎ連続番組データ４１を携帯端末２−２により視聴し終わった場合、携帯端末２−２をクレードル３−２に接続するだけで、第Ｎ連続番組データ４１の後の第（Ｎ＋１）連続番組データ４２を携帯端末２−２により視聴することができる。
このように、本発明の第２実施形態による録画番組自動格納システムでは、ユーザの利便性が向上する。
【００８４】
（第３実施形態）
本発明の第３実施形態による録画番組自動格納システムについて説明する。第３実施形態では、第１及び第２実施形態と同じ説明を省略する。
第３実施形態では、第１ユーザは、第（Ｎ＋１）連続番組データ４２がサーバ１から携帯端末２−２に移動されても、携帯端末２−１により、第（Ｎ＋１）連続番組データ４２を取得することができる。これについて説明する。
【００８５】
まず、上記のステップＳ１１〜Ｓ１３が実行された後に、上記のステップＳ４１〜Ｓ４６が実行されている。
この場合、ステップＳ１２にて、サーバ記憶部１１に格納された第１選択番組データ３１（第Ｎ連続番組データ４１）のコピーが、携帯端末２−１の記憶部２１に格納されている。また、その第Ｎ連続番組データ４１に対するコピー番組情報８１が、上記の制御情報８０として、携帯端末２−１の記憶部２１に格納されている。
ステップＳ４６にて、サーバ記憶部１１に格納された第（Ｎ＋１）連続番組データ４２が、携帯端末２−２の記憶部２１に格納されている。また、その第（Ｎ＋１）連続番組データ４２に対する番組移動情報８５が、管理テーブル１３に格納されている。
【００８６】
その後に、図１２Ａに示されるように、上記のステップＳ２１〜Ｓ２５が実行される。
即ち、第１ユーザは、携帯端末２−１をクレードル３−１の所定の場所に置き、第１接続イベントが発生する（ステップＳ２１）。
このとき、携帯端末２−１の制御部２５は、第１接続イベントに応じて、上記の第１携帯管理情報を、クレードル３−１を介してサーバ制御部１５に送信する（ステップＳ２２）。
サーバ制御部１５は、管理テーブル１３に格納された管理リスト６０が表す携帯端末２−１の管理情報を更新する（ステップＳ２３）。
管理リスト６０が表す携帯端末２−１の管理情報のうち、上記の第１選択番組データ３１として第Ｎ連続番組データ４１に対応する管理情報が更新されている場合（ステップＳ２４−ＹＥＳ）、サーバ制御部１５は、蓄積番組リスト５０を参照して、第１携帯管理情報に含まれる第Ｎ連続番組データ４１の第１再生時間Ｔｚが、第Ｎ連続番組データ４１に対する所定範囲Ｔｘｙ内であるか否かを調べる（ステップＳ２５）。
【００８７】
第Ｎ連続番組データ４１の第１再生時間Ｔｚは、第Ｎ連続番組データ４１に対する所定範囲Ｔｘｙ内である（ステップＳ２５−ＹＥＳ）。
この場合、図１２Ｂに示されるように、後述のステップＳ５１〜Ｓ５４と、上記のステップＳ２７が実行される。
【００８８】
サーバ制御部１５は、管理テーブル１３に格納された第（Ｎ＋１）連続番組データ４２に対する番組移動情報８５を、携帯端末２−１の制御部２５に通知する。このとき、番組移動情報８５を携帯端末２−１の記憶部２１に格納する（ステップＳ５１）。
ステップＳ５１にて、サーバ制御部１５は、第１携帯管理情報に含まれる第Ｎ連続番組データ４１のコピー番組情報８１に対して、コピー番組視聴後削除命令８２を携帯端末２−１の制御部２５に通知する。このとき、コピー番組視聴後削除命令８２を上記の制御情報８０として、第Ｎ連続番組データ４１に対応付けて携帯端末２−１の記憶部２１に格納する。
【００８９】
また、サーバ制御部１５は、第２接続イベントが発生したときに（ステップＳ４１）、要求後配信命令８４を携帯端末２−２の制御部２５に通知する。このとき、要求後配信命令８４を上記の制御情報８０として、第（Ｎ＋１）連続番組データ４２に対応付けて携帯端末２−２の記憶部２１に格納する（ステップＳ５２）。
【００９０】
いま、携帯端末２−１の制御部２５は、第（Ｎ＋１）連続番組データ４２に対する番組移動情報８５に応じて、第（Ｎ＋１）連続番組データ４２を要求するための要求情報８６を、無線ネットワークを介して携帯端末２−２に送信する（ステップＳ５３）。
このとき、携帯端末２−２の制御部２５は、携帯端末２−１からの要求情報８６と、携帯端末２−２の記憶部２１に格納された要求後配信命令８４とに応じて、携帯端末２−２の記憶部２１に格納された第（Ｎ＋１）連続番組データ４２をコピーし、無線ネットワークを介して携帯端末２−１の記憶部２１に格納する（ステップＳ５４）。
その後、携帯端末２−１の制御部２５は、上記のステップＳ２７を実行する。
【００９１】
ここで、本発明の第３実施形態による録画番組自動格納システムの効果について説明する。
【００９２】
本発明の第３実施形態による録画番組自動格納システムでは、第（Ｎ＋１）連続番組データ４２が携帯端末２−２の記憶部２１に移動されていても、第１ユーザは、携帯端末２−１により第Ｎ連続番組データ４１を見終わっている場合又は見終わる可能性がある場合、携帯端末２−２から第（Ｎ＋１）連続番組データ４２を取得することができる。この場合、サーバ１のサーバ制御部１５は、第（Ｎ＋１）連続番組データ４２がサーバ１から携帯端末２−２に移動されたことを番組移動情報８５により携帯端末２−１に通知し、要求情報８６を受けたときに第（Ｎ＋１）連続番組データ４２を送信するための要求後配信命令８４を携帯端末２−２に通知する。携帯端末２−１の制御部２５が番組移動情報８５に応じて要求情報８６を携帯端末２−２に送信したとき、携帯端末２−２の制御部２５は、携帯端末２−２の記憶部２１に格納された第（Ｎ＋１）連続番組データ４２をコピーして携帯端末２−１の記憶部２１に格納する。これにより、第１ユーザは、第Ｎ連続番組データ４１を携帯端末２−１により視聴し終わった場合、携帯端末２−１により携帯端末２−２から第（Ｎ＋１）連続番組データ４２を取得して視聴することができる。
本発明の第３実施形態では、複数の番組データを格納するサーバ記憶部１１を備えたサーバ１と、小容量の記憶部２１を備えた携帯端末２−１と、それよりも大容量の記憶部２１を備えた携帯端末２−２とのコンビネーションにより、ユーザが嗜好とする番組データを格納することができる。
このように、本発明の第３実施形態による録画番組自動格納システムでは、ユーザの利便性が向上する。
【００９３】
以上の説明により、本発明の録画番組自動格納システムによれば、ユーザの利便性が向上する。
本発明の録画番組自動格納システムによれば、ユーザは、第Ｎ連続番組データ４１を携帯端末２−１、２−２により視聴し終わった場合、手動コピー処理を行なわずに、第Ｎ連続番組データ４１の後の第（Ｎ＋１）連続番組データ４２を携帯端末２−１、２−２により視聴することができる。
本発明の録画番組自動格納システムによれば、ユーザは、第Ｎ連続番組データ４１を携帯端末２−１、２−２により視聴し終わった場合、携帯端末２−１、２−２をクレードル３−１、３−２に接続するだけで、第Ｎ連続番組データ４１の後の第（Ｎ＋１）連続番組データ４２を携帯端末２−１、２−２により視聴することができる。
本発明の録画番組自動格納システムによれば、携帯端末２−１の記憶部２１が小容量である場合、即ち、携帯端末２−１の記憶部２１の残容量に余裕がない場合、ユーザが携帯端末２−１により第Ｎ連続番組データ４１を見終わったら、第Ｎ連続番組データ４１が携帯端末２−１の記憶部２１から自動的に消去されるため、その記憶部２１の記憶容量を節約することができる。
本発明の録画番組自動格納システムによれば、携帯端末２−２の記憶部２１が大容量である場合、即ち、携帯端末２−２の記憶部２１の残容量に余裕がある場合、ユーザが嗜好の番組データがサーバ記憶部１１から携帯端末２−２の記憶部２１に移動されるため、サーバ１のサーバ記憶部１１の記憶容量を節約することができる。
本発明の録画番組自動格納システムによれば、複数の番組データを格納するサーバ記憶部１１を備えたサーバ１と、小容量の記憶部２１を備えた携帯端末２−１と、大容量の記憶部２１を備えた携帯端末２−２とのコンビネーションにより、ユーザが嗜好とする番組データを格納することができる。
【図面の簡単な説明】
【００９４】
【図１】図１は、本発明の録画番組自動格納システムの構成を示すブロック図である。（第１実施形態〜第３実施形態）
【図２】図２は、サーバ１の構成を示すブロック図である。（第１実施形態〜第３実施形態）
【図３】図３は、サーバ１のサーバ記憶部１１の記憶領域１２に格納される番組データを示している。（第１実施形態〜第３実施形態）
【図４】図４は、サーバ１のサーバ記憶部１１の管理テーブル１３に格納される内容を示している。（第１実施形態〜第３実施形態）
【図５】図５は、本発明の録画番組自動格納システムの動作の一部として、ユーザ（第１ユーザ、第２ユーザ）が選択番組データ３０をサーバ１により視聴するときの動作を示すフローチャートである。（第１実施形態〜第３実施形態）
【図６】図６は、携帯端末２−１、２−２の構成を示すブロック図である。（第１実施形態〜第３実施形態）
【図７】図７は、携帯端末２−１、２−２の記憶部２１の記憶領域２２に格納される内容を示している。（第１実施形態〜第３実施形態）
【図８】図８は、本発明の録画番組自動格納システムの動作の一部として、第１ユーザが第１選択番組データ３１（第Ｎ連続番組データ４１）を携帯端末２−１により視聴するときの動作を示すフローチャートである。（第１実施形態）
【図９】図９は、本発明の録画番組自動格納システムの動作の一部として、第１ユーザが第１選択番組データ３１（第Ｎ連続番組データ４１）を携帯端末２−１により視聴したときの動作を示すフローチャートである。（第１実施形態）
【図１０】図１０は、本発明の録画番組自動格納システムの動作の一部として、第２ユーザが第２選択番組データ３２（第Ｎ連続番組データ４１）を携帯端末２−２により視聴するときの動作を示すフローチャートである。（第２実施形態）
【図１１】図１１は、本発明の録画番組自動格納システムの動作の一部として、第２ユーザが第２選択番組データ３２（第Ｎ連続番組データ４１）を携帯端末２−２により視聴したときの動作を示すフローチャートである。（第２実施形態）
【図１２Ａ】図１２Ａは、本発明の録画番組自動格納システムの動作の一部として、第１ユーザが第１選択番組データ３１（第Ｎ連続番組データ４１）を携帯端末２−１により視聴したときの動作を示すフローチャートである。（第３実施形態）
【図１２Ｂ】図１２Ｂは、本発明の録画番組自動格納システムの動作の一部として、第１ユーザが第１選択番組データ３１（第Ｎ連続番組データ４１）を携帯端末２−１により視聴したときの動作を示すフローチャートである。（第３実施形態）
【符号の説明】
【００９５】
１    サーバ携帯端末
２−２、２−２    携帯端末
３−１、３−２    クレードル
４    有線ネットワーク
１０    受信部
１１    サーバ記憶部
１２    記憶領域
１３    管理テーブル
１４    ＣＰＵ
１５    サーバ制御部
１６    出力部
１６−１    表示部
１６−２    スピーカ
１７    デコーダ
１８    通信部
１９    入力部
２１    サーバ記憶部
２２    記憶領域
２４    ＣＰＵ
２５    サーバ制御部
２６    出力部
２６−１    表示部
２６−２    スピーカ
２７    デコーダ
２８    通信部
２９    入力部
３０    選択番組データ
３１    第１選択番組データ
３２    第２選択番組データ
４１    第Ｎ連続番組データ
４２    第（Ｎ＋１）連続番組データ
５０    蓄積番組リスト
６０    管理リスト
７０    携帯管理情報
８０    制御情報
８１    コピー番組情報
８２    コピー番組視聴後削除命令
８３    移動番組削除禁止命令
８４    要求後配信命令
８５    番組移動情報
８６    要求情報
Ｔｘ    設定時間
Ｔｙ    放送時間
Ｔｘｙ    所定範囲
Ｔｚ    再生時間
【図１】
2006279698.tif 000003
【図２】
2006279698.tif 000004
【図３】
2006279698.tif 000005
【図４】
2006279698.tif 000006
【図５】
2006279698.tif 000007
【図６】
2006279698.tif 000008
【図７】
2006279698.tif 000009
【図８】
2006279698.tif 000010
【図９】
2006279698.tif 000011
【図１０】
2006279698.tif 000012
【図１１】
2006279698.tif 000013
【図１２Ａ】
2006279698.tif 000014
【図１２Ｂ】
2006279698.tif 000015